(57)【要約】［課題］  導電性である金属製の時計ケースなどを採用した場合にも、アンテナの受信感度が向上して、アンテナが所定の電波を確実に受信できる無線機能付き時計を提供する。［解決手段］  無線機能付き時計であって、ハウジング内に収容され、外部からの電波を受信するためのアンテナと、ハウジングの少なくとも一部を構成し、少なくとも一部が導電性であり、複数の部品に分割された時計ケースと、時計ケースの複数の部品のうち、少なくとも２つの部品の間を絶縁するようにこれらの間に介在される絶縁領域とを備える。
2008007783.tif 000002
【特許請求の範囲】
【請求項１】
無線機能付き時計であって、
ハウジング内に収容され、外部からの電波を受信するためのアンテナと、
前記ハウジングの少なくとも一部を構成し、少なくとも一部が導電性であり、複数の部品に分割された時計ケースと、
前記時計ケースの複数の部品のうち、少なくとも２つの部品の間を絶縁するようにこれらの間に介在される絶縁領域と、
を備えることを特徴とする無線機能付き時計。
【請求項２】
前記時計ケースを構成する複数の部品が、
時計ケース胴体と、
少なくとも一部が導電性である見返しリングとを備え、
前記時計ケース胴体と見返しリングとの間を絶縁するようにこれらの間に介在される絶縁領域を備えることを特徴とする請求項１に記載の無線機能付き時計。
【請求項３】
前記時計ケースを構成する複数の部品が、
少なくとも一部が導電性であるベゼルと、
少なくとも一部が導電性である見返しリングとを備え、
前記ベゼルと見返しリングとの間を絶縁するようにこれらの間に介在される絶縁領域を備えることを特徴とする請求項１に記載の無線機能付き時計。
【請求項４】
前記時計ケースを構成する複数の部品が、
時計ケース胴体と、
少なくとも一部が導電性であるベゼルと、
少なくとも一部が導電性である見返しリングとを備え、
前記時計ケース胴体と、ベゼルと、見返しリングとの間のうち、少なくとも２つ部品の間を絶縁するように、これらの部品の間に介在される絶縁領域を備えることを特徴とする請求項１に記載の無線機能付き時計。
【請求項５】
前記時計ケースを構成する複数の部品が、
時計ケース胴体と、
少なくとも一部が導電性であるベゼルとを備え、
前記時計ケース胴体とベゼルとの間を絶縁するようにこれらの間に介在される絶縁領域を備えることを特徴とする請求項１に記載の無線機能付き時計。
【請求項６】
前記絶縁領域は、アンテナの上方近傍に配置されていることを特徴とする請求項１から５のいずれかに記載の無線機能付き時計。
【請求項７】
前記絶縁領域は、アンテナにおける両側の開放端部に対向して、それぞれの開放端部の上方近傍に配置されていることを特徴とする請求項１から５のいずれかに記載の無線機能付き時計。
【請求項８】
前記絶縁領域は、アンテナの少なくとも一方の開放端部に対向して、前記開放端部の上方近傍に配置されていることを特徴とする請求項１から５のいずれかに記載の無線機能付き時計。
【請求項９】
前記絶縁領域は、少なくとも、時計ケース胴体に形成された見返し受け部の上面と、前記見返し受け部に載置された見返しリングの下面との間に配置されていることを特徴とする請求項２に記載の無線機能付き時計。
【請求項１０】
前記絶縁領域は、見返しリングと時計ケース胴体との間の少なくとも一方の表面に形成された絶縁被膜から構成されていることを特徴とする請求項２に記載の無線機能付き時計。
【請求項１１】
前記絶縁被膜は、見返しリングの全面に形成されていることを特徴とする請求項１０に記載の無線機能付き時計。
【請求項１２】
前記絶縁領域は、見返しリングと時計ケース胴体との間に配置された絶縁部材から構成されていることを特徴とする請求項２に記載の無線機能付き時計。
【請求項１３】
前記絶縁部材は、見返しリングまたは時計ケース胴体に貼着されていることを特徴とする請求項１２に記載の無線機能付き時計。
【請求項１４】
前記絶縁領域は、少なくとも、ベゼルに形成された見返し受け部の上面と、前記見返し受け部に載置された見返しリングの下面との間に配置されていることを特徴とする請求項３に記載の無線機能付き時計。
【請求項１５】
前記絶縁領域は、見返しリングとベゼルとの間の少なくとも一方の表面に形成された絶縁被膜から構成されていることを特徴とする請求項３に記載の無線機能付き時計。
【請求項１６】
前記絶縁被膜は、見返しリングの全面に形成されていることを特徴とする請求項１５に記載の無線機能付き時計。
【請求項１７】
前記絶縁領域は、見返しリングとベゼルとの間に配置された絶縁部材から構成されていることを特徴とする請求項３に記載の無線機能付き時計。
【請求項１８】
前記絶縁部材は、見返しリングまたはベゼルに貼着されていることを特徴とする請求項１７に記載の無線機能付き時計。
【請求項１９】
前記絶縁領域は、少なくとも、時計ケース胴体に形成された見返し受け部の上面と、前記見返し受け部に載置された見返しリングの下面との間、および、ベゼルの内周面と見返しリングの外周面との間に配置されていることを特徴とする請求項４に記載の無線機能付き時計。
【請求項２０】
前記絶縁領域は、見返しリングと、時計ケース胴体と、ベゼルとの間の少なくとも一方の表面に形成された絶縁被膜から構成されていることを特徴とする請求項４に記載の無線機能付き時計。
【請求項２１】
前記絶縁被膜は、見返しリングの全面に形成されていることを特徴とする請求項２０に記載の無線機能付き時計。
【請求項２２】
前記絶縁領域は、見返しリングと、時計ケース胴体と、ベゼルとの間の少なくとも２つの部品の間に配置された絶縁部材から構成されていることを特徴とする請求項４に記載の無線機能付き時計。
【請求項２３】
前記絶縁部材は、見返しリングと、時計ケース胴体と、ベゼルのうち、いずれかの部品に貼着されていることを特徴とする請求項２２に記載の無線機能付き時計。
【請求項２４】
前記絶縁領域は、時計ケース胴体とベゼルとの間の少なくとも一方の表面に形成された絶縁被膜から構成されていることを特徴とする請求項５に記載の無線機能付き時計。
【請求項２５】
前記絶縁領域は、時計ケース胴体とベゼルとの間に配置された絶縁部材から構成されていることを特徴とする請求項５に記載の無線機能付き時計。
【請求項２６】
前記絶縁部材は、時計ケース胴体またはベゼルに貼着されていることを特徴とする請求項２５に記載の無線機能付き時計。
【請求項２７】
前記時計ケース胴体が、複数の時計ケース胴体部品に分割され、これらの分割された時計ケース胴体部品の間のうち、少なくとも２つ時計ケース胴体部品の間を絶縁するように、これらの時計ケース胴体部品の間に介在される絶縁領域を備えることを特徴とする請求項２、４、５のいずれかに記載の無線機能付き時計。
【請求項２８】
前記絶縁領域は、複数の時計ケース胴体部品の間の少なくとも一方の表面に形成された絶縁被膜から構成されていることを特徴とする請求項２７に記載の無線機能付き時計。
【請求項２９】
前記絶縁領域は、複数の時計ケース胴体部品の間に配置された絶縁部材から構成されていることを特徴とする請求項２７に記載の無線機能付き時計。
【請求項３０】
前記絶縁部材は、複数の時計ケース胴体部品の間の少なくとも一方に貼着されていることを特徴とする請求項２９に記載の無線機能付き時計。
【発明の詳細な説明】
【技術分野】
【０００１】
本発明は、無線機能付き時計、特に、所定の電波を受信できるアンテナと、アンテナを収容するための導電性のハウジングを備えた時計に関し、特に、ハウジングの少なくとも一部を構成し、少なくとも一部が導電性である時計ケースが、複数に分割された部品、例えば、導電性の胴体、導電性のベゼル、導電性の見返しリングを備えた時計に関する。【０００２】
また、本発明は、無線機能付き時計、特に、所定の電波を受信できるアンテナが導電性のハウジング内に収容され、導電性のベゼルを備えた時計に関する。【０００３】
さらに、本発明は、無線機能付き時計、特に、所定の電波を受信できるアンテナが導電性のハウジング内に収容され、導電性の見返しリングを備えた時計に関する。【０００４】
従来、パソコン通信機能、携帯電話機能や非接触式ＩＣカード機能などの無線機能を備える時計は、すでに知られている。このような無線機能付き時計として、時刻情報を含む長波標準電波（搬送波）を受信し、その時刻情報に基づいて時刻を修正する無線機能を備えた電波時計も、また広く知られている。【０００５】
これらの無線機能付き時計は、他の通信機器と同様に、所定の電波を受信するためのアンテナを備える必要がある。このため、電波を受信する機能、すなわち、受信感度からすれば、電波を受信するアンテナを収容する筐体であるハウジングを、合成樹脂などの非導電性の素材から構成することが考えられる。【０００６】
しかしながら、これら無線機能付き時計は、時計であるがために、他の通信機器と異なり、装飾品、または装身具としての美観や高級観が求められる。このため、電波を受信するアンテナを収容する筐体であるハウジングの素材として、合成樹脂などの非導電性の素材ではなく、導電性の素材、すなわち、金属製の素材を採用することが求められる。【０００７】
これは、合成樹脂などのハウジングが、その質感、色調、または軽量さから、安価な外観と装着感とを使用者に与えるものであり、これに対して、金属製のハウジングが、高級感のある外観と装着感とを使用者に与えるためである。【０００８】
この金属製のハウジングに対する要求は、ユーザーに携帯される装身具としての腕時計において、特に著しいものである。しかしながら、アンテナを、導電性のハウジング、すなわち、金属製のハウジング内に収容した場合には、アンテナ近傍に発生する磁束が導電材料である金属製のハウジングに吸収され、共振現象が妨げられるため、アンテナが標準電波を受信する受信機能が著しく低下してしまうことになる。【０００９】
このため、従来より、様々な受信感度向上のための提案がなされている。【００１０】
例えば、特許文献１（特開２００４−３２５３１５号公報）では、金属製筐体である金属製のハウジングを備える電波時計、特に、電波腕時計が開示されている。【００１１】
すなわち、図３４に示したように、この電波腕時計１００は、ハウジング１０２を備えている。【００１２】
なお、本明細書中、「上下方向」とは、図３４、図２などの断面図において、上下方向を意味する。従って、上面とは、腕時計を手首に装着した状態において、外方に露出する面であり、下面とは、同状態において手首と相対する面である。【００１３】
また、「平面方向」とは、上下方向に直交する方向であって、図３４、図２などの断面図において、左右方向を意味するものであり、平面方向が、バンドの長手方向、または、バンドの幅方向と重複する場合もある。【００１４】
このハウジング１０２は、金属製の枠体を構成する時計ケース１０４と、時計ケース１０４の下面開口部を覆うように密封状態で装着される金属製の裏蓋１０６と、この時計ケースの上面開口部を覆うように、密封状態で装着される風防（ガラス）１０８とを備えている。【００１５】
このハウジング１０２内には、時計駆動部を構成するムーブメント１１０と、ムーブメント１１０の上面に配置された金属製の文字板１１２を備えている。【００１６】
さらに、このムーブメント１１０の側部下方には、標準電波を受信するためのアンテナ１１６が付設されている。【００１７】
なお、図示しないが、ムーブメント１１０より突出して、文字板１１２とを貫通する針軸に、分針と時針とが配置される。これら分針と時針とは、文字板１１２と風防１０８との間に位置して時刻を表示するようになっている。【００１８】
ところで、このような金属製外装が採用された電波腕時計１００においては、金属製の時計ケース１０４、金属製の裏蓋１０６、金属製の文字板１１２によって、アンテナ１１６が遮蔽された状態となる。このため、これらの金属製の部品によって外部からの電波が遮断され、これにより、ハウジング１０２内に配置されたアンテナ１１６の電波の受信が妨げられてしまうことになる。【００１９】
特に、これらの金属製の時計ケース１０４、金属製の裏蓋１０６、金属製の文字板１１２が相互に直接接触している場合、これらの金属製の時計ケース１０４、金属製の裏蓋１０６、金属製の文字板１１２との間で、電磁気的にループが形成され、これらが電磁気的に閉じた状態となり、この影響によって、外部からの電波が、さらにアンテナ１１６まで到達しにくくなる。【００２０】
このような現象を回避するために、この特許文献１の電波腕時計１００においては、金属製の文字板１１２を絶縁被膜１１４で被覆して、時計ケース１０４と裏蓋１０６の間に絶縁層１１８を設けている。【００２１】
これによって、金属製の時計ケース１０４、金属製の裏蓋１０６、金属製の文字板１１２との間で電磁気的にループが形成されなくなるので、外部からの電波が、これらの金属部品によって遮蔽されにくくしている。
【特許文献１】特開２００４−３２５３１５号公報
【特許文献２】実開平６−８０１９２号公報
【発明の開示】
【発明が解決しようとする課題】
【００２２】
しかしながら、特許文献１の電波腕時計１００では、金属製の時計ケース１０４が、電波腕時計１００の上下方向に沿った厚さにほぼ相当する大きさを備える金属製の環状部品として、アンテナ１１６を取り囲むように、アンテナ１１６の近傍に位置している。【００２３】
このように、他の部品よりも極めて大きな金属製の時計ケース１０４が、外部からの電波を遮蔽して、ハウジング１０２内に配置されたアンテナ１１６の電波の受信を妨げてしまうため、アンテナ１１６が電波を充分に受信することができなかった。【００２４】
また、外部からの電波、または、アンテナ１１６によって生じる電波に起因して、金属製の時計ケース１０４の近傍の磁界が周期的に変動すると、時計ケース１０４を上下に貫通する開口を通過する磁束が変化するので、電磁誘導によって渦電流が、金属製の時計ケース１０４の周方向に沿って発生する。【００２５】
このように発生した渦電流は電波のエネルギーを消費するので、ハウジング１０２内に配置されたアンテナ１１６の電波の受信感度を低下させることになる。【００２６】
特に、上下方向に沿った断面積（図３４の時計ケース１０４の斜線部分）が広い、金属製の時計ケース１０４に発生する渦電流は、比較的大きな誘導電流として流れることになる。これにより、この渦電流が、ハウジング１０２の外部からの電波を相殺してしまい、アンテナ１１６の受信感度が低下してしまい、アンテナ１１６の受信感度の向上にはまだまだ不十分であった。
このため、アンテナ近傍に配置される、最も体積の大きい導電性部品である金属製の時計ケース１０４を、複数の部品に分割し、これらの間を絶縁することによって、時計ケース１０４による外部からの電波の遮蔽を低減できるものと思われる。【００２７】
また、時計ケース１０４を複数の部品に分割することにより、複数の部品に分割しない一体の時計ケース１０４の場合に発生する大きな渦電流に比較して、分割された部品毎に小さな渦電流が発生することになる。このため、渦電流によるアンテナ１１６の受信感度の低下も低減できるものと思われる。【００２８】
これにより、導電性である金属製の時計ケース１０４などを採用した場合にも、アンテナ１１６の受信感度が向上することが考えられる。【００２９】
ところで、このような金属製のハウジングを備えた電波腕時計には、金属製の時計ケース１０４を複数の部品に分割したものとして、ベゼルを備えたものがある。ベゼルは、主に時計ケースの上部側における風防の周囲に配置されるリング状の部材であり、このベゼルにも、美観や高級観などの各種の点から、金属製のものが採用されることがある。【００３０】
このようなベゼルを備えた腕時計としては、特許文献２（実開平６−８０１９２号公報）に開示されている。図３５に示したように、この腕時計２００では、ハウジング２０２を備えており、このハウジング２０２は、金属製の枠体を構成する時計ケース２０４と、時計ケース２０４の下面開口部を覆うように密封状態で装着される金属製の裏蓋２０６と、この時計ケース２０４の上面開口部を覆うように、密封状態で装着される風防（ガラス）２０８とを備えている。【００３１】
また、時計ケース２０４は、時計ケース胴体２１０と、時計ケース胴体２１０の上面に配置されたベゼル２１２を備えており、これらの時計ケース胴体２１０とベゼル２１２との間には防水パッキン２１４が介装されている。【００３２】
一方、ハウジング２０２内には、時計駆動部を構成するムーブメント２１６と、ムーブメント２１６の上面に配置された文字板２１８を備えている。【００３３】
また、ムーブメント２１６より突出して、文字板２１８を貫通する針軸２２０に、分針２２２と時針２２４とが配置される。これら分針２２２と時針２２４とは、文字板２１８と風防２０８との間に位置して時刻を表示するようになっている。【００３４】
ところで、このような金属製外装が採用され、金属製の時計ケース２０４を分割したものとして、時計ケース胴体２１０とベゼル２１２を備えた腕時計２００においては、人の手首側でグランドとして機能する裏蓋２０６と時計ケース胴体２１０と、ベゼル２１２とが、防水パッキン２１４によって電気的に絶縁状態となっている場合には、風防２０８側からの静電気がベゼル２１２に蓄積してしまうことがある。【００３５】
この静電気の作用によって、図３５の点線で示したように、分針２２２が風防２０８側に当接してしまい、分針２２２が動かない状態が生じたり、静電気の作用によって、このような分針２２２を伝って、静電気がムーブメント２１６に達して、ムーブメント２１６の作動を阻害してしまうことになる。【００３６】
このため、特許文献２では、時計ケース胴体２１０とベゼル２１２との間に、導電性ペースト２２６を設けて、時計ケース胴体２１０とベゼル２１２との間の電気的な導通を確保し、これにより、ベゼル２１２、時計ケース胴体２１０、裏蓋２０６を介して、風防２０８側からの静電気を人の手首にアースするようになっている。【００３７】
しかしながら、特許文献２は、ハウジング内にアンテナを収容した電波腕時計を対象とするものではなく、また、特許文献２のように、時計ケース胴体２１０とベゼル２１２との間に、導電性ペースト２２６を設けて、時計ケース胴体２１０とベゼル２１２との間の電気的な導通を確保したものでは、これを電波腕時計に適用したとしても、時計ケース胴体２１０とベゼル２１２との間で、電磁気的にループが形成され、これらが電磁気的に閉じた状態となり、この影響によって、外部からの電波が、アンテナまで到達しにくくなる。【００３８】
また、下方向に沿った断面積（図３５の時計ケース胴体２１０とベゼル２１２の斜線部分）が広い、金属製の時計ケース２０４に発生する渦電流により、比較的大きな誘導電流として流れることになる。これにより、この渦電流が、ハウジング２０２の外部からの電波を相殺してしまい、アンテナの受信感度が低下してしまい、アンテナの受信感度が低下してしまうことになる。【００３９】
ところで、このような金属製のハウジングを備えた電波腕時計には、金属製の時計ケース１０４を複数の部品に分割したものとして、時計ケース、またはベゼルの見返し部分を別体として分割した見返しリングを備えたものがある。見返しリングは、主にハウジング内において風防と文字板との間に配置されるリング状の部材であり、その上面は風防の載置面として機能すると共に、上面から文字板に向けて下方へ延びる傾斜面は、時計の機能表示を示す指標を配置する指標面として機能する。【００４０】
そして、この見返しリングも、美観や高級観などの各種の点から、金属製のものが採用されることがある。【００４１】
ところが、上記のような金属製のハウジングを備えた電波腕時計に対して、金属製の見返しリングを適用すると、アンテナの受信感度が大きく低下する問題が生じていた。例えば、特許文献１のように絶縁層を金属性の裏蓋と時計ケースとの間などに設けたりしても、受信感度の低下は必ずしも十分な程度には改善されない。【００４２】
本発明は、このような現状に鑑み、アンテナ近傍に配置される、最も体積の大きい導電性部品である金属製の時計ケースを、複数の部品に分割し、これらの間を絶縁することによって、時計ケースによる外部からの電波の遮蔽を低減でき、また、時計ケースを複数の部品に分割することにより、複数の部品に分割しない一体の時計ケースの場合に発生する大きな渦電流に比較して、分割された部品毎に小さな渦電流が発生して、渦電流によるアンテナの受信感度の低下も低減でき、導電性である金属製の時計ケースなどを採用した場合にも、アンテナの受信感度が向上して、アンテナが所定の電波を確実に受信できる無線機能付き時計を提供することを目的とする。
【課題を解決するための手段】
【００４３】
本発明は、前述したような従来技術における課題及び目的を達成するために発明されたものであって、本発明の無線機能付き時計は、
無線機能付き時計であって、
ハウジング内に収容され、外部からの電波を受信するためのアンテナと、
前記ハウジングの少なくとも一部を構成し、少なくとも一部が導電性であり、複数の部品に分割された時計ケースと、
前記時計ケースの複数の部品のうち、少なくとも２つの部品の間を絶縁するようにこれらの間に介在される絶縁領域と、
を備えることを特徴とする。【００４４】
このように構成することによって、アンテナ近傍に配置される、最も体積の大きい導電性部品である導電性の時計ケースを、複数の部品に分割し、これらの間を絶縁することによって、時計ケースによる外部からの電波が遮蔽されにくくなり、導電性の時計ケースなどを採用した場合にも、アンテナの受信感度が向上する。【００４５】
また、最も体積の大きい導電性部品である金属製の時計ケースを、複数の部品に分割し、これらの間を絶縁することによって、複数の部品に分割しない一体の時計ケースの場合に発生する大きな渦電流に比較して、分割された部品毎に小さな渦電流が発生することになるので、渦電流によるアンテナの受信感度の低下も低減でき、導電性の時計ケースなどを採用した場合にも、アンテナの受信感度が向上する。【００４６】
なお、本発明において、導電性の部材とは、「その部材の素材自体が導電性の部材であるもの」、または、「その部材に導電性の被膜が被覆されたもの」を言う。後者の場合、部材の素材自体は、非導電性の素材であっても、導電性の素材であっても、または、非導電性の素材と導電性の素材の組み合わせであってもよい。【００４７】
逆に、非導電性の部材とは、「その部材の素材自体が非電性の部材であるもの」、または、「その部材に非電性の被膜が被覆されたもの」を言う。後者の場合、部材の素材自体は、非導電性の素材であっても、導電性の素材であっても、または、非導電性の素材と導電性の素材の組み合わせであってもよい。【００４８】
また、本発明の無線機能付き時計は、
前記時計ケースを構成する複数の部品が、
時計ケース胴体と、
少なくとも一部が導電性である見返しリングとを備え、
前記時計ケース胴体と見返しリングとの間を絶縁するようにこれらの間に介在される絶縁領域を備えることを特徴とする。【００４９】
このように、時計ケースを構成する複数の部品を、時計ケース胴体と、見返しリングとから構成して、時計ケース胴体と見返しリングとの間を絶縁するようにこれらの間に介在される絶縁領域を設けることで、時計ケース胴体と見返しリングとの間で絶縁されることになるので、時計ケースによる外部からの電波が遮蔽されにくくなり、導電性の時計ケースなどを採用した場合にも、アンテナの受信感度が向上する。【００５０】
また、最も体積の大きい導電性部品である金属製の時計ケースを、複数の部品に分割し、これらの間を絶縁することによって、複数の部品に分割しない一体の時計ケースの場合に発生する大きな渦電流に比較して、分割された部品毎に、すなわち、時計ケース胴体と見返しリングとからなる環状部材に小さな渦電流が発生することになるので、渦電流によるアンテナの受信感度の低下も低減でき、導電性の時計ケースなどを採用した場合にも、アンテナの受信感度が大幅に向上する。【００５１】
また、本発明の無線機能付き時計は、
前記時計ケースを構成する複数の部品が、
少なくとも一部が導電性であるベゼルと、
少なくとも一部が導電性である見返しリングとを備え、
前記ベゼルと見返しリングとの間を絶縁するようにこれらの間に介在される絶縁領域を備えることを特徴とする。【００５２】
このように、ベゼルと見返しリングとの間を絶縁するようにこれらの間に介在される絶縁領域を設けることで、ベゼルと見返しリングとの間で絶縁されることになるので、時計ケースによる外部からの電波が遮蔽されにくくなり、導電性の時計ケースなどを採用した場合にも、アンテナの受信感度が向上する。【００５３】
また、最も体積の大きい導電性部品である金属製の時計ケースを、複数の部品に分割し、これらの間を絶縁することによって、複数の部品に分割しない一体の時計ケースの場合に発生する大きな渦電流に比較して、分割された部品毎に、すなわち、ベゼルと見返しリングとからなる環状部材に小さな渦電流が発生することになるので、渦電流によるアンテナの受信感度の低下も低減でき、導電性の時計ケースなどを採用した場合にも、アンテナの受信感度が大幅に向上する。【００５４】
また、本発明の無線機能付き時計は、
前記時計ケースを構成する複数の部品が、
時計ケース胴体と、
少なくとも一部が導電性であるベゼルと、
少なくとも一部が導電性である見返しリングとを備え、
前記時計ケース胴体と、ベゼルと、見返しリングとの間のうち、少なくとも２つ部品の間を絶縁するように、これらの部品の間に介在される絶縁領域を備えることを特徴とする。【００５５】
このように、時計ケース胴体と、ベゼルと、見返しリングとの間のうち、少なくとも２つ部品の間を絶縁するように、これらの部品の間に介在される絶縁領域を設けることで、ベゼルと見返しリングとの間で絶縁されることになるので、時計ケースによる外部からの電波が遮蔽されにくくなり、導電性の時計ケースなどを採用した場合にも、アンテナの受信感度が向上する。【００５６】
また、最も体積の大きい導電性部品である金属製の時計ケースを、複数の部品に分割し、これらの間を絶縁することによって、複数の部品に分割しない一体の時計ケースの場合に発生する大きな渦電流に比較して、分割された部品毎に、すなわち、時計ケース胴体と、ベゼルと、見返しリングとからなる環状部材に小さな渦電流が発生することになるので、渦電流によるアンテナの受信感度の低下も低減でき、導電性の時計ケースなどを採用した場合にも、アンテナの受信感度が大幅に向上する。【００５７】
また、本発明の無線機能付き時計は、
前記時計ケースを構成する複数の部品が、
時計ケース胴体と、
少なくとも一部が導電性であるベゼルとを備え、
前記時計ケース胴体とベゼルとの間を絶縁するようにこれらの間に介在される絶縁領域を備えることを特徴とする。【００５８】
このように、時計ケース胴体とベゼルとの間を絶縁するようにこれらの間に介在される絶縁領域を設けることで、時計ケース胴体とベゼルとの間で絶縁されることになるので、時計ケースによる外部からの電波が遮蔽されにくくなり、導電性の時計ケースなどを採用した場合にも、アンテナの受信感度が向上する。【００５９】
また、最も体積の大きい導電性部品である金属製の時計ケースを、複数の部品に分割し、これらの間を絶縁することによって、複数の部品に分割しない一体の時計ケースの場合に発生する大きな渦電流に比較して、分割された部品毎に、すなわち、時計ケース胴体とベゼルとからなる環状部材に小さな渦電流が発生することになるので、渦電流によるアンテナの受信感度の低下も低減でき、導電性の時計ケースなどを採用した場合にも、アンテナの受信感度が大幅に向上する。【００６０】
以上のように、導電性の見返しリングを導電性の時計ケースやベゼルから絶縁することで、アンテナの受信感度が大幅に向上するが、これは次の作用によると考えられる。アンテナの受信感度は、アンテナの開放端部の直ぐ上に位置し、アンテナの開放端部との上下方向の距離が短い位置にある、導電性部材である見返しリングの影響を強く受けると考えられる。すなわち、アンテナが上方からの電波を受信する際に、見返しリングに誘導電流が流れると、これがアンテナによる電波の受信を阻害するように作用するからである。【００６１】
しかし、本発明では、見返しリングをその周囲にある導電性の時計ケース胴体やベゼルから絶縁しこれらの間の導通を遮断する絶縁領域を設けたので、見返しリングと、これに隣接する時計ケース胴体やベゼルとの間の電流経路が十分に遮断され、これにより誘導電流に起因する電波の遮蔽作用が大幅に抑制されたものと考えられる。【００６２】
また、以上のように、導電性のベゼルを導電性の時計ケース胴体や見返しリングから絶縁することで、アンテナの受信感度が大幅に向上するが、これは次の作用によると考えられる。アンテナの受信感度は、アンテナの開放端部の直ぐ上に位置し、アンテナの開放端部との上下方向の距離が短い位置にある、導電性部材であるベゼルの影響を強く受けると考えられる。すなわち、アンテナが上方からの電波を受信する際に、ベゼルに誘導電流が流れると、これがアンテナによる電波の受信を阻害するように作用するからである。【００６３】
しかし、本発明では、ベゼルをその周囲にある導電性の時計ケースや見返しリングから絶縁しこれらの間の導通を遮断する絶縁領域を設けたので、ベゼルと、これに隣接する時計ケースや見返しリングとの間の電流経路が十分に遮断され、これにより誘導電流に起因する電波の遮蔽作用が大幅に抑制されたものと考えられる。【００６４】
本発明の構成によれば、導電性の時計ケース胴体やベゼルを備え見返しリングが装着されたあらゆる無線機能付き時計において受信感度が向上するが、特に、裏蓋が導電性である場合などのようにハウジングの下部が導電性である場合において、さらに、ソーラーセルへの外光を透過させる透光機能を付与した場合などのように非導電性の文字板をアンテナの上方に配置した場合において受信感度が顕著に向上する。【００６５】
また、本発明の構成によれば、導電性の時計ケース胴体や見返しリングを備えベゼルが装着されたあらゆる無線機能付き時計において受信感度が向上するが、特に、裏蓋が導電性である場合などのようにハウジングの下部が導電性である場合において、さらに、ソーラーセルへの外光を透過させる透光機能を付与した場合などのように非導電性の文字板をアンテナの上方に配置した場合において受信感度が顕著に向上する。【００６６】
本発明において「少なくとも一部が導電性である時計ケース胴体」、「少なくとも一部が導電性であるベゼル」、および「少なくとも一部が導電性である見返しリング」には、素材自体が導電性であるもの、非導電性部材に導電性のコーティングがされたもの、その他の導電性素材と非導電性素材との任意の組み合わせが含まれる。時計ケース、ベゼル、および見返しリングを構成する導電性の材料の具体例としては、金、銀、銅、黄銅、アルミニウム、マグネシウム、亜鉛、チタン、またはこれらの合金を挙げることができる。また、ステンレススチール、タンタルカーバイドなどを用いてもよい。【００６７】
なお、本発明において絶縁領域は、少なくとも時計ケースと、ベゼルと、見返しリングとにおける導電性部分同士の間の少なくとも２つの部品の間に配置される。本発明において「ハウジング」には、裏蓋を有する場合、裏蓋が一体になった時計ケースである場合、裏蓋がガラスである場合など、様々な場合を含むものである。また、ハウジングを構成する部品に、導電性の部品と、非導電性の部品が混在してもかまわない。ハウジングは、少なくとも一部が導電性の部材と理解される。【００６８】
また、本発明の無線機能付き時計では、前記絶縁領域は、アンテナの上方近傍に配置されていることを特徴とする。【００６９】
また、本発明の無線機能付き時計では、前記絶縁領域は、アンテナにおける両側の開放端部に対向して、それぞれの開放端部の上方近傍に配置されていることを特徴とする。【００７０】
また、本発明の無線機能付き時計では、前記絶縁領域は、アンテナの少なくとも一方の開放端部に対向して、前記開放端部の上方近傍に配置されていることを特徴とする。【００７１】
ここで「アンテナの上方近傍」とは、アンテナにおける少なくとも一方の開放端部、好ましくは両側の開放端部の上方近傍を含む領域のことである。
ここで、「アンテナの開放端部」とは、アンテナの開放端周囲の領域を含み、例えばアンテナがＵ字型を成すような円弧形状である場合、アンテナの開放端近傍の円弧部分まで「アンテナの開放端部」に含まれる。
前記絶縁領域は、アンテナの少なくとも一方の開放端部に対向して、該開放端部の上方近傍に配置されていることが好ましく、さらに、アンテナにおける両側の開放端部に対向して、それぞれの開放端部の上方近傍に配置さていることが、受信感度の向上という点ではより好ましい。
ここで「アンテナの開放端部の上方近傍」とは、ハウジングの上下方向におけるアンテナの開放端部の真上の位置およびその近傍であって、例えば、図４および図５に図示したような範囲のことである。
このように、アンテナの開放端部の上方近傍に絶縁領域を配置することで、見返しリングに起因する誘導電流が十分に抑制され、アンテナの受信感度が向上する。【００７２】
また、このように、アンテナの開放端部の上方近傍に絶縁領域を配置することで、ベゼルに起因する誘導電流が十分に抑制され、アンテナの受信感度が向上する。【００７３】
また、本発明の無線機能付き時計では、前記絶縁領域は、少なくとも、時計ケース胴体に形成された見返し受け部の上面と、前記見返し受け部に載置された見返しリングの下面との間に配置されていることを特徴とする。【００７４】
このようにすることで、時計ケース胴体と見返しリングとが少なくとも接する見返し受け部の上面と見返しリングの下面との境界部分において、そこに介在する絶縁領域によってこれらの間の導通が確実に遮断され、上述したようにアンテナの受信感度が向上する。【００７５】
また、本発明の無線機能付き時計では、前記絶縁領域は、見返しリングと時計ケース胴体との間の少なくとも一方の表面に形成された絶縁被膜から構成されていることを特徴とする。【００７６】
また、本発明の無線機能付き時計では、前記絶縁被膜は、見返しリングの全面に形成されていることを特徴とする。【００７７】
このように、絶縁領域を絶縁被膜から構成することで、簡易な構造で、かつ生産性の高い方法によって、アンテナの受信感度を向上させることができる。【００７８】
このような絶縁被膜としては、例えば、絶縁性の塗装被膜、印刷被膜、乾式めっき被膜などが挙げられる。【００７９】
絶縁被膜の具体例としては、
ＤＬＣ（Diamond like carbon）被膜；
アクリル系材料、ウレタン系材料、セルロース系材料などの有機材料の絶縁被膜；
クロム化合物を含むクロム化合物系被膜；
酸化アルミ化合物を含む酸化アルミ系被膜などが挙げられる。【００８０】
このうち、クロム化合物系被膜としては、酸化クロム化合物を含む酸化クロム系被膜、窒化クロム化合物を含む窒化クロム系被膜、炭化クロム化合物を含む炭化クロム系被膜などが挙げられる。【００８１】
絶縁性の塗装被膜を形成する具体例としては、クリアコートのような、絶縁性の上塗り塗装被膜を施す方法が挙げられる。この場合、メタリック塗装による塗装被膜を施した後、このメタリック塗装被膜の上に、透明、または半透明な合成樹脂層であるクリアコートを被覆するようにしてもよい。【００８２】
このような絶縁性の塗装被膜の具体例としては、ポリウレタン樹脂塗料、樹脂を形成するポリマー分子中にフッ素が混入されたフッ素樹脂塗料、ポリ塩化ビニル樹脂を可塑剤に分散させた塩ビゾル塗料、オイルフリーポリエステル樹脂をシリコーン中間体により変性させたシリコーンポリエステル樹脂からなるシリコーンポリエステル樹脂塗料、または、オイルフリーポリエステル樹脂、アクリル樹脂塗料、エポキシ樹脂塗料、シリコーンアクリル樹脂塗料、塩化ビニル樹脂塗料、ラッカー、フェノール樹脂塗料、塩化ゴム系塗料などが挙げられる。【００８３】
また、絶縁被膜を見返しリングの全面に形成する場合には、ディッピングなどの方法を適用することができる。【００８４】
また、本発明の無線機能付き時計では、前記絶縁領域は、見返しリングと時計ケース胴体との間に配置された絶縁部材から構成されていることを特徴とする。【００８５】
また、本発明の無線機能付き時計では、前記絶縁部材は、見返しリングまたは時計ケース胴体に貼着されていることを特徴とする。【００８６】
このように、絶縁領域を絶縁部材から構成することで、簡易な構造で、かつ生産性の高い方法によって、アンテナの受信感度を向上させることができる。このような絶縁部材の具体例としては、合成樹脂やゴムなどからなるシート状などの部材、セラミックなどからなる非導電性の部材が挙げられる。【００８７】
または、導電性の素材に、非導電性の被膜が被覆されるか、または合成樹脂やゴムなどからなる絶縁シートが貼着された部材であってもよい。この場合、導電性の素材としては、金、銀、銅、黄銅、アルミニウム、マグネシウム、亜鉛、チタン、またはこれらの合金を挙げることができる。また、ステンレススチール、タンタルカーバイドなどを用いてもよい。また、非導電性の被膜としては、前記絶縁被膜の具体例として例示したものを適用することができる。【００８８】
見返しリングと時計ケース胴体との間に絶縁部材を配置する場合、スペーサとしての独立した絶縁シートをこれらの間に挟む形態であってもよいが、見返しリングと時計ケース胴体との一方に絶縁部材を貼着する形態がより好ましい。具体的には、粘着テープや接着テープを当該部材に貼り付ける形態が挙げられる。【００８９】
このようにすることで、時計の組み立て時において、見返しリングと時計ケース胴体を組み込み易くなり、作業性が向上する。【００９０】
また、本発明の無線機能付き時計では、前記絶縁領域は、少なくとも、ベゼルに形成された見返し受け部の上面と、前記見返し受け部に載置された見返しリングの下面との間に配置されていることを特徴とする。
このようにすることで、ベゼルと見返しリングとが少なくとも接する見返し受け部の上面と見返しリングの下面との境界部分において、そこに介在する絶縁領域によってこれらの間の導通が確実に遮断され、上述したようにアンテナの受信感度が向上する。【００９１】
また、本発明の無線機能付き時計では、前記絶縁領域は、見返しリングとベゼルとの間の少なくとも一方の表面に形成された絶縁被膜から構成されていることを特徴とする。【００９２】
また、本発明の無線機能付き時計では、前記絶縁被膜は、見返しリングの全面に形成されていることを特徴とする。【００９３】
このように、絶縁領域を絶縁被膜から構成することで、簡易な構造で、かつ生産性の高い方法によって、アンテナの受信感度を向上させることができる。【００９４】
このような絶縁被膜としては、上記で説明した絶縁被膜を用いることができる。【００９５】
また、本発明の無線機能付き時計では、前記絶縁領域は、見返しリングとベゼルとの間に配置された絶縁部材から構成されていることを特徴とする。【００９６】
また、本発明の無線機能付き時計では、前記絶縁部材は、見返しリングまたはベゼルに貼着されていることを特徴とする。【００９７】
このように、絶縁領域を絶縁部材から構成することで、簡易な構造で、かつ生産性の高い方法によって、アンテナの受信感度を向上させることができる。このような絶縁部材の具体例としては、上記で説明した絶縁部材を用いることができる。【００９８】
また、本発明の無線機能付き時計では、前記絶縁領域は、少なくとも、時計ケース胴体に形成された見返し受け部の上面と、前記見返し受け部に載置された見返しリングの下面との間、および、ベゼルの内周面と見返しリングの外周面との間に配置されていることを特徴とする。【００９９】
このようにすることで、時計ケース胴体と見返しリングとが少なくとも接する見返し受け部の上面と見返しリングの下面との境界部分および、ベゼルの内周面と見返しリングの外周面との境界部分において、そこに介在する絶縁領域によってこれらの間の導通が確実に遮断され、上述したようにアンテナの受信感度が向上する。【０１００】
また、本発明の無線機能付き時計では、前記絶縁領域は、見返しリングと、時計ケース胴体と、ベゼルとの間の少なくとも一方の表面に形成された絶縁被膜から構成されていることを特徴とする。【０１０１】
また、本発明の無線機能付き時計では、前記絶縁被膜は、見返しリングの全面に形成されていることを特徴とする。【０１０２】
このように、絶縁領域を絶縁被膜から構成することで、簡易な構造で、かつ生産性の高い方法によって、アンテナの受信感度を向上させることができる。【０１０３】
このような絶縁被膜としては、上記で説明した絶縁被膜を用いることができる。【０１０４】
また、本発明の無線機能付き時計では、前記絶縁領域は、見返しリングと、時計ケース胴体と、ベゼルとの間の少なくとも２つの部品の間に配置された絶縁部材から構成されていることを特徴とする。【０１０５】
また、本発明の無線機能付き時計では、前記絶縁部材は、見返しリングと、時計ケース胴体と、ベゼルのうち、いずれかの部品に貼着されていることを特徴とする。【０１０６】
このように、絶縁領域を絶縁部材から構成することで、簡易な構造で、かつ生産性の高い方法によって、アンテナの受信感度を向上させることができる。このような絶縁部材の具体例としては、上記で説明した絶縁部材を用いることができる。【０１０７】
また、本発明の無線機能付き時計では、前記絶縁領域は、時計ケース胴体とベゼルとの間の少なくとも一方の表面に形成された絶縁被膜から構成されていることを特徴とする。【０１０８】
このように、絶縁領域を絶縁被膜から構成することで、簡易な構造で、かつ生産性の高い方法によって、アンテナの受信感度を向上させることができる。【０１０９】
このような絶縁被膜としては、上記で説明した絶縁被膜を用いることができる。【０１１０】
また、本発明の無線機能付き時計では、前記絶縁領域は、時計ケース胴体とベゼルとの間に配置された絶縁部材から構成されていることを特徴とする。【０１１１】
また、本発明の無線機能付き時計では、前記絶縁部材は、時計ケース胴体またはベゼルに貼着されていることを特徴とする。【０１１２】
このように、絶縁領域を絶縁部材から構成することで、簡易な構造で、かつ生産性の高い方法によって、アンテナの受信感度を向上させることができる。このような絶縁部材の具体例としては、上記で説明した絶縁部材を用いることができる。【０１１３】
また、本発明の無線機能付き時計は、
前記時計ケース胴体が、複数の時計ケース胴体部品に分割され、これらの分割された時計ケース胴体部品の間のうち、少なくとも２つ時計ケース胴体部品の間を絶縁するように、これらの時計ケース胴体部品の間に介在される絶縁領域を備えることを特徴とする。【０１１４】
このように構成することによって、時計ケース胴体を、複数の時計ケース胴体部品に分割し、これらの間を絶縁することによって、時計ケースによる外部からの電波が遮蔽されにくくなり、導電性の時計ケースなどを採用した場合にも、アンテナの受信感度が向上する。【０１１５】
また、最も体積の大きい導電性部品である金属製の時計ケースを、複数の部品に分割し、これらの間を絶縁することによって、複数の部品に分割しない一体の時計ケースの場合に発生する大きな渦電流に比較して、分割された部品毎に小さな渦電流が発生することになるので、渦電流によるアンテナの受信感度の低下も低減でき、導電性の時計ケースなどを採用した場合にも、アンテナの受信感度が向上する。【０１１６】
また、本発明の無線機能付き時計では、前記絶縁領域は、複数の時計ケース胴体部品の間の少なくとも一方の表面に形成された絶縁被膜から構成されていることを特徴とする。【０１１７】
このように、絶縁領域を絶縁被膜から構成することで、簡易な構造で、かつ生産性の高い方法によって、アンテナの受信感度を向上させることができる。【０１１８】
このような絶縁被膜としては、上記で説明した絶縁被膜を用いることができる。【０１１９】
また、本発明の無線機能付き時計では、前記絶縁領域は、複数の時計ケース胴体部品の間に配置された絶縁部材から構成されていることを特徴とする。【０１２０】
また、本発明の無線機能付き時計では、前記絶縁部材は、複数の時計ケース胴体部品の間の少なくとも一方に貼着されていることを特徴とする。【０１２１】
このように、絶縁領域を絶縁部材から構成することで、簡易な構造で、かつ生産性の高い方法によって、アンテナの受信感度を向上させることができる。このような絶縁部材の具体例としては、上記で説明した絶縁部材を用いることができる。
【発明の効果】
【０１２２】
本発明によれば、時計ケースを構成する複数の部品を、時計ケース胴体と、見返しリングとから構成して、時計ケース胴体と見返しリングとの間を絶縁するようにこれらの間に介在される絶縁領域を設けることで、時計ケース胴体と見返しリングとの間で絶縁されることになるので、時計ケースによる外部からの電波が遮蔽されにくくなり、導電性の時計ケースなどを採用した場合にも、アンテナの受信感度が向上する。【０１２３】
また、最も体積の大きい導電性部品である金属製の時計ケースを、複数の部品に分割し、これらの間を絶縁することによって、複数の部品に分割しない一体の時計ケースの場合に発生する大きな渦電流に比較して、分割された部品毎に、すなわち、時計ケース胴体と見返しリングとからなる環状部材に小さな渦電流が発生することになるので、渦電流によるアンテナの受信感度の低下も低減でき、導電性の時計ケースなどを採用した場合にも、アンテナの受信感度が大幅に向上する。【０１２４】
従って、本発明の無線機能付き時計は、良好な受信感度を有し、アンテナが所定の電波を確実に受信できる。
【図面の簡単な説明】
【０１２５】
【図１】図１は、図１は、本発明の実施例における無線機能付き時計の分解斜視図である。
【図２】図２は、図２は、図１の無線機能付き時計を組み立てた状態におけるＡ−Ａ線の部分断面図である。
【図３】図３は、アンテナの上方近傍の範囲を説明する図である。
【図４】図４は、アンテナの開放端部の上方近傍の範囲を説明する図である。
【図５】図５は、アンテナの開放端部の上方近傍の範囲を説明する図である。
【図６】図６は、実施例１における無線機能付き時計の別の実施例を示した絶縁領域周辺の拡大断面図である。
【図７】図７は、実施例１における無線機能付き時計の別の実施例を示した絶縁領域周辺の拡大断面図である。
【図８】図８は、本発明の別の実施例における無線機能付き時計の分解斜視図である。
【図９】図９は、図８の無線機能付き時計を組み立てた状態におけるＡ−Ａ線の部分断面図である。
【図１０】図１０は、本発明の無線機能付き時計の別の実施例を示した絶縁領域周辺の拡大断面図である。
【図１１】図１１は、本発明の無線機能付き時計の別の実施例を示した絶縁領域周辺の拡大断面図である。
【図１２】図１２は、本発明の別の実施例における無線機能付き時計の分解斜視図である。
【図１３】図１３は、図１２の無線機能付き時計を組み立てた状態におけるＡ−Ａ線の部分断面図である。
【図１４】図１４は、本発明の無線機能付き時計の別の実施例を示した絶縁領域周辺の拡大断面図である。
【図１５】図１５は、本発明の無線機能付き時計の別の実施例を示した絶縁領域周辺の拡大断面図である。
【図１６】図１６は、本発明の実施例における無線機能付き時計の分解斜視図である。
【図１７】図１７は、図１６の無線機能付き時計を組み立てた状態におけるＡ−Ａ線の部分断面図である。
【図１８】図１８は、アンテナの上方近傍の範囲を説明する図である。
【図１９】図１９は、アンテナの開放端部の上方近傍の範囲を説明する図である。
【図２０】図２０は、アンテナの開放端部の上方近傍の範囲を説明する図である。
【図２１】図２１は、本発明の無線機能付き時計の別の実施例を示した図１７と同様な断面図である。
【図２２】図２２は、本発明の別の実施例における無線機能付き時計の図１７と同様な断面図である。
【図２３】図２３は、本発明の無線機能付き時計の別の実施例を示した図２２と同様な断面図ある。
【図２４】図２４は、本発明の無線機能付き時計の別の実施例を示した絶縁領域周辺の拡大断面図である。
【図２５】図２５は、本発明の別の実施例における無線機能付き時計の図１７と同様な断面図である。
【図２６】図２６は、本発明の無線機能付き時計の別の実施例を示した図２５と同様な断面図である。
【図２７】図２７は、本発明の無線機能付き時計の別の実施例を示した絶縁領域周辺の拡大断面図である。
【図２８】図２８は、本発明の別の実施例における無線機能付き時計の図２と同様な断面図である。
【図２９】図２９は、本発明の別の実施例における無線機能付き時計の図２と同様な断面図である。
【図３０】図３０は、本発明の別の実施例における無線機能付き時計の図２と同様な断面図である。
【図３１】図３１は、本発明の別の実施例における無線機能付き時計の図３０と同様な断面図である。
【図３２】図３２は、本発明の別の実施例における無線機能付き時計の図２と同様な断面図である。
【図３３】図３３は、本発明の別の実施例における無線機能付き時計の図３２と同様な断面図である。
【図３４】図３４は、従来の電波腕時計の断面図である。
【図３５】図３５は、従来の腕時計の断面図である。
【符号の説明】
【０１２６】
１０   無線機能付き時計
１１   時計ケース胴体
１２   ハウジング
１３   上部時計ケース胴体
１４   時計ケース
１５   下部時計ケース胴体
１６   裏蓋
１８   風防
２０   ムーブメント
２０ａ 小径部
２０ｂ 大径部
２２   ソーラーセル
２４   文字板
２６   アンテナ
２６ａ，２６ｂ       開放端部
２８   バンド取り付け部
３０   脚部
３１   針軸
３２   見返し受け部
３４   段部
３４ｂ 側面部
３６   リング
３６ａ 外周面
３８   リング本体部
４０   延設部
４２   テーパー面
４６   パッキン
４８   中子部材
５０   係合突設部
５２   係合用凹部
５４   支持枠
５６   防水パッキン
５８   絶縁領域
６０   ベゼル収容凹部
６１   防水パッキン
６２   ベゼル
６３   防水パッキン
６４   ベゼル本体部
６６   延設部
６８   テーパー面
７０   指針
７１   領域
７２   領域
１００ 電波腕時計
１０２ ハウジング
１０４ 時計ケース
１０６ 裏蓋
１０８ 風防
１１０ ムーブメント
１１２ 文字板
１１４ 絶縁被膜
１１６ アンテナ
１１８ 絶縁層
２００ 腕時計
２０２ ハウジング
２０４ 時計ケース
２０６ 裏蓋
２０８ 風防
２１０ 時計ケース胴体
２１２ ベゼル
２１４ 防水パッキン
２１６ ムーブメント
２１８ 文字板
２２０ 針軸
２２２ 分針
２２４ 時針
２２６ 導電性ペースト
【発明を実施するための最良の形態】
【０１２７】
以下、本発明の実施の形態（実施例）を図面に基づいてより詳細に説明する。
（実施例１）
図１は、本発明の実施例における無線機能付き時計の分解斜視図、図２は、図１の無線機能付き時計を組み立てた状態におけるＡ−Ａ線の部分断面図である。【０１２８】
図１および図２において、符号１０は、全体で本実施例の無線機能付き時計を示している。本実施例の無線機能付き時計１０は、時刻情報を含む長波標準電波（搬送波）を受信し、その時刻情報に基づいて時刻を修正する無線機能を備えた電波腕時計であり、図１および図２に示したように、ハウジング１２を備えている。【０１２９】
このハウジング１２は、導電性の略円筒形状の枠体を構成する時計ケース１４と、時計ケース１４の下面開口部を覆うように密封状態で装着される導電性の裏蓋１６と、この時計ケース１４の上面開口部を覆うように密封状態で装着される風防（ガラス）１８とを備えている。【０１３０】
このハウジング１２内には、時計駆動部を構成するムーブメント２０が配置され、このムーブメント２０の上面には、ムーブメント２０を光の起電力によって駆動するためのソーラーセル２２が配置されている。【０１３１】
このソーラーセル２２の上面には、ソーラーセルの発電に寄与する波長の外光を、少なくともムーブメント２０の駆動に足るだけ透過させる透光機能を有する文字板２４が配置されている。
さらに、このムーブメント２０の側部下方の小径部２０ａには、標準電波を受信するためのアンテナ２６が付設されている。アンテナ２６は、コアとなる棒状の磁芯部材と、この磁芯部材の外周に巻かれたコイルとからなるバーアンテナとして図示される。【０１３２】
文字板２４は、ソーラーセルの発電に寄与する波長の外光を透過する透光機能を有するものであれば特に限定されるものではないが、例えば、合成樹脂、セラミック、ガラス、木材、または、貝などの非導電性材料で構成することによって、外部からの電波がさらにアンテナ２６に到達しやすくなるため、アンテナの受信感度を向上させることができる。【０１３３】
図１に示したように、時計ケース１４は、外方に突出する２組のバンド取り付け部２８を備えており、これらのバンド取り付け部２８にはそれぞれ、互いに対向するように、一定間隔離間して配置され、時計ケース１４より延設された脚部３０が設けられている。【０１３４】
そして、これらの脚部３０の間に、図示しない腕時計のバンドが連結されるようになっている。なお、ムーブメント２０より突出して、ソーラーセル２２と文字板２４とを貫通する図１の針軸３１には、図示しないが、分針と時針とが配置される。これら分針と時針とは、文字板２４と風防１８との間に位置して時刻を表示するようになっている。【０１３５】
図２に示したように、時計ケース１４は、複数の部品に分割されており、この実施例では、時計ケース胴体１１と、導電性の見返しリング３６とに分割されている。【０１３６】
そして、時計ケース胴体１１の内周側には、フランジ形状の見返し受け部３２が環状に突設されており、この見返し受け部３２によって形成される段部３４上に、導電性の見返しリング３６が装着されている。
この見返しリング３６は、見返し受け部３２上に配置される見返しリング本体部３８と、見返しリング本体部３８から、文字板２４上に延設され、文字板２４上に配置される延設部４０とを備えている。また、見返しリング３６の内面側には、下方に向かって径が小さくなるテーパー面４２が形成され、このテーパー面４２上に、時字などの指標が形成される。
また、見返しリング３６の上端と、時計ケース胴体１１の上端内周側には、風防１８を密封状態で固定するための固定（防水）パッキン４６が介装されている。一方、裏蓋１６には、内側に突設する中子部材４８が形成されており、この中子部材４８の外周側には、離間して形成された複数の係合突設部５０が突設されている。そして、時計ケース胴体１１の下端近傍の内周側には、この裏蓋１６の中子部材４８の係合突設部５０が係合する係合用凹部５２が形成されている。【０１３７】
また、ムーブメント２０の側部上方の大径部２０ｂと、中子部材４８の上端部との間には、支持枠５４が介装されている。支持枠５４は、合成樹脂などの非導電性材料からなり、導電性の時計ケース胴体１１とアンテナ２６との平面方向に沿った隙間を確保し、アンテナ２６の受信性能を高く維持する。【０１３８】
裏蓋１６における中子部材４８の係合突設部５０を、時計ケース胴体１１の係合用凹部５２に係合することによって、時計ケース胴体１１の内周側に形成されたフランジ形状の見返し受け部３２と、裏蓋１６の中子部材４８の上端部との間で、支持枠５４を介して、ムーブメント２０、ソーラーセル２２、文字板２４が、時計ケース胴体１１の内部に固定され、収容されるようになっている。
なお、図２において、符号５６は、裏蓋１６と時計ケース胴体１１との間を、密封状態で封止するための防水パッキンである。【０１３９】
本実施例における無線機能付き時計１０では、図２に示したように、見返しリング３６と時計ケース胴体１１との間に、絶縁領域５８が配置されている。
このような絶縁領域５８を設けることにより、導電性の時計ケース胴体１１と導電性の見返しリング３６との間の導通が遮断される。これにより、時計ケース胴体１１と見返しリング３６との間で絶縁されることになるので、時計ケースによる外部からの電波が遮蔽されにくくなり、導電性の時計ケースなどを採用した場合にも、アンテナの受信感度が向上する。【０１４０】
また、最も体積の大きい導電性部品である金属製の時計ケースを、複数の部品に分割し、これらの間を絶縁することによって、複数の部品に分割しない一体の時計ケースの場合に発生する大きな渦電流に比較して、分割された部品毎に、すなわち、時計ケース胴体１１と見返しリング３６とからなる環状部材に小さな渦電流が発生することになるので、渦電流によるアンテナの受信感度の低下も低減でき、導電性の時計ケースなどを採用した場合にも、アンテナ２６の受信感度は大幅に向上する。【０１４１】
なお、本実施例では、絶縁領域５８を、時計ケース胴体１１に形成された見返し受け部３２の上面と、この見返し受け部３２に載置された見返しリング３６の下面との間から、段部３４の側面部３４ｂと見返しリング３６の外周面との間までの範囲に形成しているが、段部３４の側面部３４ｂと見返しリング３６の外周面との間に隙間がありこれらが当接しない場合には、少なくとも見返し受け部３２の上面と見返しリング３６の下面との間に絶縁領域５８が形成されていればよい。【０１４２】
絶縁領域５８は、平面方向において、時計ケース胴体１１および見返しリング３６の周方向の全体に渡り連続して形成するようにしてもよいが、周方向における一部に形成してもよい。【０１４３】
この場合、アンテナ２６の開放端部の近くにおいて見返しリング３６の誘導電流を効果的に防止するという点では、アンテナ２６の上方近傍、特に、アンテナ２６の開放端部の上方近傍に少なくとも配置することが望ましい。【０１４４】
平面方向から見たアンテナ２６の上方近傍の例を図３に示す。同図において、斜線で示した領域７１が、アンテナ２６の上方近傍である。なお、説明の便宜のために、見返しリング３６は、内周側端部のみ二点鎖線で図示している。【０１４５】
また、平面方向から見たアンテナ２６の両側の開放端部２６ａ，２６ｂのそれぞれの上方近傍の例を図４に示す。同図において、斜線で示した２つの領域７２が、開放端部２６ａ，２６ｂの上方近傍である。絶縁領域５８は、これらの位置のそれぞれに少なくとも配置されていることが特に好ましい。【０１４６】
また、平面方向から見たアンテナ２６の片側の開放端部２６ａの上方近傍の例を図５に示す。同図において、斜線で示した領域７２が、開放端部２６ａの上方近傍である。絶縁領域５８は、この位置（開放端部２６ｂの上方近傍であってもよい）に少なくとも配置されていることが好ましい。【０１４７】
また、絶縁領域５８は、見返しリング３６と時計ケース胴体１１との間の少なくとも一方の表面に形成された絶縁被膜から構成されていてもよい。【０１４８】
また、後述する図７に示した実施例のように、絶縁被膜は、見返しリング３６の全面に形成されていても良い。【０１４９】
このように、絶縁領域を絶縁被膜から構成することで、簡易な構造で、かつ生産性の高い方法によって、アンテナの受信感度を向上させることができる。【０１５０】
このような絶縁被膜としては、例えば、絶縁性の塗装被膜、印刷被膜、乾式めっき被膜などが挙げられる。【０１５１】
絶縁被膜の具体例としては、
ＤＬＣ（Diamond like carbon）被膜；
アクリル系材料、ウレタン系材料、セルロース系材料などの有機材料の絶縁被膜；
クロム化合物を含むクロム化合物系被膜；
酸化アルミ化合物を含む酸化アルミ系被膜などが挙げられる。【０１５２】
このうち、クロム化合物系被膜としては、酸化クロム化合物を含む酸化クロム系被膜、窒化クロム化合物を含む窒化クロム系被膜、炭化クロム化合物を含む炭化クロム系被膜などが挙げられる。【０１５３】
絶縁性の塗装被膜を形成する具体例としては、クリアコートのような、絶縁性の上塗り塗装被膜を施す方法が挙げられる。この場合、メタリック塗装による塗装被膜を施した後、このメタリック塗装被膜の上に、透明、または半透明な合成樹脂層であるクリアコートを被覆するようにしてもよい。【０１５４】
このような絶縁性の塗装被膜の具体例としては、ポリウレタン樹脂塗料、樹脂を形成するポリマー分子中にフッ素が混入されたフッ素樹脂塗料、ポリ塩化ビニル樹脂を可塑剤に分散させた塩ビゾル塗料、オイルフリーポリエステル樹脂をシリコーン中間体により変性させたシリコーンポリエステル樹脂からなるシリコーンポリエステル樹脂塗料、または、オイルフリーポリエステル樹脂、アクリル樹脂塗料、エポキシ樹脂塗料、シリコーンアクリル樹脂塗料、塩化ビニル樹脂塗料、ラッカー、フェノール樹脂塗料、塩化ゴム系塗料などが挙げられる。
また、絶縁領域５８は、見返しリング３６と時計ケース胴体１１との間に配置された絶縁部材から構成されていても良い。【０１５５】
また、本発明の無線機能付き時計では、絶縁部材は、見返しリング３６または時計ケース胴体１１に貼着されていても良い。【０１５６】
このように、絶縁領域５８を絶縁部材から構成することで、簡易な構造で、かつ生産性の高い方法によって、アンテナの受信感度を向上させることができる。このような絶縁部材の具体例としては、合成樹脂やゴムなどからなるシート状などの部材、セラミックなどからなる非導電性の部材が挙げられる。【０１５７】
または、導電性の素材に、非導電性の被膜が被覆されるか、または合成樹脂やゴムなどからなる絶縁シートが貼着された部材であってもよい。この場合、導電性の素材としては、金、銀、銅、黄銅、アルミニウム、マグネシウム、亜鉛、チタン、またはこれらの合金を挙げることができる。また、ステンレススチール、タンタルカーバイドなどを用いてもよい。また、非導電性の被膜としては、前記絶縁被膜の具体例として例示したものを適用することができる。【０１５８】
見返しリング３６と時計ケース胴体１１との間に絶縁部材を配置する場合、スペーサとしての独立した絶縁シートをこれらの間に挟む形態であってもよいが、見返しリング３６と時計ケース胴体１１との一方に絶縁部材を貼着する形態がより好ましい。具体的には、粘着テープや接着テープを当該部材に貼り付ける形態が挙げられる。【０１５９】
このようにすることで、時計の組み立て時において、見返しリング３６と時計ケース胴体１１を組み込み易くなり、作業性が向上する。【０１６０】
なお、以下の実施例においても、絶縁領域５８の好ましい構成は、基本的には、上記で説明した絶縁被膜、絶縁部材などが適用可能である。
（実施例２）
図６は、実施例１における無線機能付き時計の別の実施例を示した絶縁領域周辺の拡大断面図である。【０１６１】
この実施例の無線機能付き時計１０は、図１および図２に示した無線機能付き時計１０と基本的には同様な構成であり、同一の構成部材には同一の符号を付してその詳細な説明を省略する。【０１６２】
この実施例の無線機能付き時計１０は、絶縁領域５８を、時計ケース胴体１１に形成された見返し受け部３２の上面と、この見返し受け部３２に載置された見返しリング３６の下面との間までの範囲に形成している。【０１６３】
上述したように、段部３４の側面部３４ｂと見返しリング３６の外周面との間に隙間がありこれらが当接しない場合には、少なくともこの範囲に絶縁領域５８が形成されていればよい。
このような絶縁領域５８を設けることにより、導電性の時計ケース胴体１１と導電性の見返しリング３６との間の導通が遮断される。これにより、時計ケース胴体１１と見返しリング３６との間で絶縁されることになるので、時計ケースによる外部からの電波が遮蔽されにくくなり、導電性の時計ケースなどを採用した場合にも、アンテナの受信感度が向上する。【０１６４】
また、最も体積の大きい導電性部品である金属製の時計ケースを、複数の部品に分割し、これらの間を絶縁することによって、複数の部品に分割しない一体の時計ケースの場合に発生する大きな渦電流に比較して、分割された部品毎に、すなわち、時計ケース胴体１１と見返しリング３６とからなる環状部材に小さな渦電流が発生することになるので、渦電流によるアンテナの受信感度の低下も低減でき、導電性の時計ケースなどを採用した場合にも、アンテナ２６の受信感度は大幅に向上する。
（実施例３）
図７は、実施例１における無線機能付き時計の別の実施例を示した絶縁領域周辺の拡大断面図である。【０１６５】
この実施例の無線機能付き時計１０は、図１および図２に示した無線機能付き時計１０と基本的には同様な構成であり、同一の構成部材には同一の符号を付してその詳細な説明を省略する。【０１６６】
この無線機能付き時計１０は、見返しリング３６の全面に絶縁領域５８を形成している。このような絶縁領域５８は、例えば、見返しリング３６の全面に被覆した絶縁被膜として構成することができ、その形成方法としては、例えば、ディッピングなどを挙げることができる。【０１６７】
この実施例では、絶縁領域５８を構成する絶縁被膜が見返しリング３６の全面に形成されているため、見返しリング３６が時計ケース胴体１１の段部３４の側面部３４ｂや、見返し受け部３２のフランジ内周面と対接する場合であっても、見返しリング３６と時計ケース胴体１１との間を十分に絶縁することができる。【０１６８】
このような絶縁領域５８を設けることによっても、導電性の時計ケース胴体１１と導電性の見返しリング３６との間の導通が遮断され、時計ケース胴体１１と見返しリング３６との間で絶縁されることになるので、時計ケースによる外部からの電波が遮蔽されにくくなり、導電性の時計ケースなどを採用した場合にも、アンテナの受信感度が向上する。【０１６９】
また、最も体積の大きい導電性部品である金属製の時計ケースを、複数の部品に分割し、これらの間を絶縁することによって、複数の部品に分割しない一体の時計ケースの場合に発生する大きな渦電流に比較して、分割された部品毎に、すなわち、時計ケース胴体１１と見返しリング３６とからなる環状部材に小さな渦電流が発生することになるので、渦電流によるアンテナの受信感度の低下も低減でき、導電性の時計ケースなどを採用した場合にも、アンテナ２６の受信感度は大幅に向上する。
（実施例４）
図８は、本発明の別の実施例における無線機能付き時計の分解斜視図、図９は、図８の無線機能付き時計を組み立てた状態におけるＡ−Ａ線の部分断面図である。【０１７０】
この実施例の無線機能付き時計１０は、図１および図２に示した無線機能付き時計１０と基本的には同様な構成であり、同一の構成部材には同一の符号を付してその詳細な説明を省略する。【０１７１】
この実施例の無線機能付き時計１０は、図９に示したように、時計ケース１４は、複数の部品に分割されており、この実施例では、時計ケース胴体１１と、導電性の見返しリング３６と、導電性のベゼル６２とに分割されている。【０１７２】
そして、時計ケース胴体１１の上部には、時計ケース胴体１１の外縁側上面に載置される形態で、導電性のベゼル６２が配置されている。なお、図９中、符号６１は、ベゼル６２と時計ケース胴体１１との間を密封状態で封止するための防水パッキンである。【０１７３】
そして、このベゼル６２の内周側には、フランジ形状の見返し受け部３２が環状に突設されており、この見返し受け部３２によって形成される段部３４上に、導電性の見返しリング３６が装着されている。【０１７４】
この見返しリング３６は、見返し受け部３２上に配置される見返しリング本体部３８と、見返しリング本体部３８から、文字板２４上に延設され、文字板２４上に配置される延設部４０とを備えている。また、見返しリング３６の内面側には、下方に向かって径が小さくなるテーパー面４２が形成され、このテーパー面４２上に、時字などの指標が形成される。【０１７５】
また、見返しリング３６の上端と、ベゼル６２の上端内周側には、風防１８を密封状態で固定するための固定（防水）パッキン４６が介装されている。【０１７６】
本実施例における無線機能付き時計１０では、図９に示したように、ベゼル６２に形成された見返し受け部３２の上面と、この見返し受け部３２に載置された見返しリング３６の下面との間から、段部３４の側面部３４ｂと見返しリング３６の外周面との間までの範囲に、絶縁領域５８が配置されている。【０１７７】
このような絶縁領域５８を設けることにより、導電性のベゼル６２と導電性の見返しリング３６との間の導通が遮断され、ベゼル６２と見返しリング３６との間で絶縁されることになるので、時計ケースによる外部からの電波が遮蔽されにくくなり、導電性の時計ケースなどを採用した場合にも、アンテナの受信感度が向上する。【０１７８】
また、最も体積の大きい導電性部品である金属製の時計ケースを、複数の部品に分割し、これらの間を絶縁することによって、複数の部品に分割しない一体の時計ケースの場合に発生する大きな渦電流に比較して、分割された部品毎に、すなわち、ベゼル６２と見返しリング３６とからなる環状部材に小さな渦電流が発生することになるので、渦電流によるアンテナの受信感度の低下も低減でき、導電性の時計ケース１４などを採用した場合にも、アンテナの受信感度が大幅に向上する。【０１７９】
なお、本実施例では、絶縁領域５８を、ベゼル６２に形成された見返し受け部３２の上面と、この見返し受け部３２に載置された見返しリング３６の下面との間から、段部３４の側面部３４ｂと見返しリング３６の外周面との間までの範囲に形成しているが、段部３４の側面部３４ｂと見返しリング３６の外周面との間に隙間がありこれらが当接しない場合には、少なくとも見返し受け部３２の上面と見返しリング３６の下面との間に絶縁領域５８が形成されていればよい。【０１８０】
絶縁領域５８は、平面方向において、時計ケース胴体１１、ベゼル６２および見返しリング３６の周方向の全体に渡り連続して形成するようにしてもよいが、周方向における一部に形成してもよい。この場合、アンテナ２６の開放端部の近くにおいてベゼル６２および見返しリング３６の誘導電流を効果的に防止するという点では、アンテナ２６の上方近傍、特に、アンテナ２６の開放端部の上方近傍に少なくとも配置することが望ましい。アンテナ２６の上方近傍およびアンテナ２６の開放端部の上方近傍は、上述の実施例１において説明した場合と同様であり、その具体例は、平面視において図３〜図５に示した範囲と同様である。
（実施例５）
図１０は、本発明の無線機能付き時計の別の実施例を示した絶縁領域周辺の拡大断面図である。【０１８１】
この実施例の無線機能付き時計１０は、図８および図９に示した無線機能付き時計１０と基本的には同様な構成であり、同一の構成部材には同一の符号を付してその詳細な説明を省略する。【０１８２】
この実施例の無線機能付き時計１０は、ベゼル６２の全面に絶縁領域５８を形成している。このような絶縁領域５８は、例えば、ベゼル６２の全面に被覆した絶縁被膜として構成することができ、その形成方法としては、例えば、ディッピングなどを挙げることができる。【０１８３】
このような絶縁領域５８を設けることによっても、導電性のベゼル６２と導電性の見返しリング３６との間の導通が遮断され、上記実施例４と同様にアンテナ２６の受信感度は大幅に向上する。
（実施例６）
図１１は、本発明の無線機能付き時計の別の実施例を示した絶縁領域周辺の拡大断面図である。【０１８４】
この実施例の無線機能付き時計１０は、図８および図９に示した無線機能付き時計１０と基本的には同様な構成であり、同一の構成部材には同一の符号を付してその詳細な説明を省略する。【０１８５】
この実施例の無線機能付き時計１０は、見返しリング３６の全面に絶縁領域５８を形成している。【０１８６】
このような絶縁領域５８は、例えば、実施例２と同様に、見返しリング３６の全面に被覆した絶縁被膜として構成することができる。【０１８７】
このような場合、絶縁領域５８を構成する絶縁被膜は、見返しリング３６の全面に形成されているため、見返しリング３６がベゼル６２の段部３４の側面部３４ｂや、見返し受け部３２のフランジ内周面と対接する場合であっても、見返しリング３６とベゼル６２との間を十分に絶縁することができる。【０１８８】
このような絶縁領域５８を設けることによっても、導電性のベゼル６２と導電性の見返しリング３６との間の導通が遮断され、上記実施例４と同様にアンテナ２６の受信感度は大幅に向上する。
（実施例７）
図１２は、本発明の別の実施例における無線機能付き時計の分解斜視図、図１３は、図１２の無線機能付き時計を組み立てた状態におけるＡ−Ａ線の部分断面図である。【０１８９】
この実施例の無線機能付き時計１０は、図８および図９に示した無線機能付き時計１０と基本的には同様な構成であり、同一の構成部材には同一の符号を付してその詳細な説明を省略する。【０１９０】
図１３に示したように、時計ケース１４は、複数の部品に分割されており、この実施例では、時計ケース胴体１１と、導電性の見返しリング３６と、導電性のベゼル６２とに分割されている。【０１９１】
そして、時計ケース胴体１１の上面部には、ベゼル収容凹部６０が溝状に形成されており、このベゼル収容凹部６０内にベゼル６２の下部側が嵌合される形態で、導電性のベゼル６２が配置されている。なお、図１３中、符号６１は、ベゼル６２と時計ケース胴体１１との間を密封状態で封止するための防水パッキンである。【０１９２】
そして、時計ケース胴体１１の内周側には、フランジ形状の見返し受け部３２が環状に突設されており、この見返し受け部３２上に、導電性の見返しリング３６が装着されている。この見返しリング３６は、見返し受け部３２上に配置される見返しリング本体部３８と、見返しリング本体部３８から、文字板２４上に延設され、文字板２４上に配置される延設部４０とを備えている。また、見返しリング３６の内面側には、下方に向かって径が小さくなるテーパー面４２が形成され、このテーパー面４２上に、時字などの指標が形成される。【０１９３】
また、見返しリング３６の上端と、ベゼル６２の上端内周側には、風防１８を密封状態で固定するための固定（防水）パッキン４６が介装されている。【０１９４】
なお、図１３において、符号５６は、裏蓋１６と時計ケース胴体１１との間を、密封状態で封止するための防水パッキンである。【０１９５】
本実施例における無線機能付き時計１０では、図１３に示したように、時計ケース胴体１１に形成された見返し受け部３２の上面と、この見返し受け部３２に載置された見返しリング３６の下面との間から、見返し受け部３２およびベゼル６２によって形成された段部３４の側面部３４ｂ（ベゼル６２の内周面）と見返しリング３６の外周面３６ａとの間までの範囲に、絶縁領域５８が配置されている。【０１９６】
このような絶縁領域５８を設けることにより、導電性の時計ケース胴体１１と導電性の見返しリング３６との間の導通および、導電性のベゼル６２と導電性の見返しリング３６との間の導通が遮断され、時計ケース胴体１１と、ベゼル６２と、見返しリング３６との間で絶縁されることになるので、時計ケースによる外部からの電波が遮蔽されにくくなり、導電性の時計ケースなどを採用した場合にも、アンテナの受信感度が向上する。【０１９７】
また、最も体積の大きい導電性部品である金属製の時計ケースを、複数の部品に分割し、これらの間を絶縁することによって、複数の部品に分割しない一体の時計ケースの場合に発生する大きな渦電流に比較して、分割された部品毎に、すなわち、時計ケース胴体１１と、ベゼル６２と、見返しリング３６とからなる環状部材に小さな渦電流が発生することになるので、渦電流によるアンテナの受信感度の低下も低減でき、導電性の時計ケース１４などを採用した場合にも、アンテナの受信感度が大幅に向上する。【０１９８】
絶縁領域５８は、平面方向において、時計ケース胴体１１、ベゼル６２および見返しリング３６の周方向の全体に渡り連続して形成するようにしてもよいが、周方向における一部に形成してもよい。この場合、アンテナ２６の開放端部の近くにおいてベゼル６２および見返しリング３６の誘導電流を効果的に防止するという点では、アンテナ２６の上方近傍、特に、アンテナ２６の開放端部の上方近傍に少なくとも配置することが望ましい。アンテナ２６の上方近傍およびアンテナ２６の開放端部の上方近傍は、上述の実施例１において説明した場合と同様であり、その具体例は、平面視において図３〜図５に示した範囲と同様である。
（実施例８）
図１４は、本発明の無線機能付き時計の別の実施例を示した絶縁領域周辺の拡大断面図である。【０１９９】
この実施例の無線機能付き時計１０は、図１２および図１３に示した無線機能付き時計１０と基本的には同様な構成であり、同一の構成部材には同一の符号を付してその詳細な説明を省略する。【０２００】
この実施例の無線機能付き時計１０は、見返し受け部３２の上面と見返しリング３６の下面との間および、ベゼル６２の全面に絶縁領域５８を形成している。【０２０１】
ベゼル６２の全面に形成された絶縁領域５８は、例えば、ベゼル６２の全面に被覆した絶縁被膜として構成することができ、その形成方法としては、例えば、ディッピングなどを挙げることができる。【０２０２】
このような絶縁領域５８を設けることによっても、導電性の時計ケース胴体１１と導電性の見返しリング３６との間の導通および、導電性のベゼル６２と導電性の見返しリング３６との間の導通が遮断され、時計ケース胴体１１と、ベゼル６２と、見返しリング３６との間で絶縁されることになるので、時計ケースによる外部からの電波が遮蔽されにくくなり、導電性の時計ケースなどを採用した場合にも、アンテナの受信感度が向上する。【０２０３】
また、最も体積の大きい導電性部品である金属製の時計ケースを、複数の部品に分割し、これらの間を絶縁することによって、複数の部品に分割しない一体の時計ケースの場合に発生する大きな渦電流に比較して、分割された部品毎に、すなわち、時計ケース胴体１１と、ベゼル６２と、見返しリング３６とからなる環状部材に小さな渦電流が発生することになるので、渦電流によるアンテナの受信感度の低下も低減でき、導電性の時計ケース１４などを採用した場合にも、アンテナの受信感度が大幅に向上する。
（実施例９）
図１５は、本発明の無線機能付き時計の別の実施例を示した絶縁領域周辺の拡大断面図である。【０２０４】
この実施例の無線機能付き時計１０は、図１２および図１３に示した無線機能付き時計１０と基本的には同様な構成であり、同一の構成部材には同一の符号を付してその詳細な説明を省略する。【０２０５】
この実施例の無線機能付き時計１０は、見返しリング３６の全面に絶縁領域５８を形成している。【０２０６】
このような絶縁領域５８は、例えば、図１１に示した実施例と同様に、見返しリング３６の全面に被覆した絶縁被膜として構成することができる。【０２０７】
このような場合、絶縁領域５８を構成する絶縁被膜は、見返しリング３６の全面に形成されているため、見返しリング３６が見返し受け部３２のフランジ内周面と対接する場合であっても、見返しリング３６と時計ケース胴体１１との間を十分に絶縁することができる。【０２０８】
このような絶縁領域５８を設けることによっても、導電性の時計ケース胴体１１と導電性の見返しリング３６との間の導通および、導電性のベゼル６２と導電性の見返しリング３６との間の導通が遮断され、時計ケース胴体１１と、ベゼル６２と、見返しリング３６との間で絶縁されることになるので、時計ケースによる外部からの電波が遮蔽されにくくなり、導電性の時計ケースなどを採用した場合にも、アンテナの受信感度が向上する。【０２０９】
また、最も体積の大きい導電性部品である金属製の時計ケースを、複数の部品に分割し、これらの間を絶縁することによって、複数の部品に分割しない一体の時計ケースの場合に発生する大きな渦電流に比較して、分割された部品毎に、すなわち、時計ケース胴体１１と、ベゼル６２と、見返しリング３６とからなる環状部材に小さな渦電流が発生することになるので、渦電流によるアンテナの受信感度の低下も低減でき、導電性の時計ケース１４などを採用した場合にも、アンテナの受信感度が大幅に向上する。
（実施例１０）
図１６は、本発明の実施例における無線機能付き時計の分解斜視図、図１７は、図１６の無線機能付き時計を組み立てた状態におけるＡ−Ａ線の部分断面図である。【０２１０】
この実施例の無線機能付き時計１０は、図８および図９に示した無線機能付き時計１０と基本的には同様な構成であり、同一の構成部材には同一の符号を付してその詳細な説明を省略する。【０２１１】
この実施例の無線機能付き時計１０は、図１７に示したように、時計ケース１４は、複数の部品に分割されており、この実施例では、時計ケース胴体１１と、導電性の見返しリング３６と、導電性のベゼル６２とに分割されている。【０２１２】
そして、この実施例の無線機能付き時計１０では、図１７に示したように、時計ケース胴体１１の内縁側上面と、ベゼル６２の内縁側下面との間に、絶縁領域５８が配置されている。【０２１３】
このような絶縁領域５８を設けることにより、導電性の時計ケース胴体１１と導電性のベゼル６２との間の導通が遮断され、時計ケース胴体１１と、ベゼル６２と、見返しリング３６との間で絶縁されることになるので、時計ケースによる外部からの電波が遮蔽されにくくなり、導電性の時計ケースなどを採用した場合にも、アンテナの受信感度が向上する。【０２１４】
また、最も体積の大きい導電性部品である金属製の時計ケースを、複数の部品に分割し、これらの間を絶縁することによって、複数の部品に分割しない一体の時計ケースの場合に発生する大きな渦電流に比較して、分割された部品毎に、すなわち、時計ケース胴体１１と、ベゼル６２と、見返しリング３６とからなる環状部材に小さな渦電流が発生することになるので、渦電流によるアンテナの受信感度の低下も低減でき、導電性の時計ケース１４などを採用した場合にも、アンテナの受信感度が大幅に向上する。【０２１５】
なお、本実施例では、絶縁領域５８を、時計ケース胴体１１とベゼル６２とが対接する範囲である時計ケース胴体１１の内縁側上面とベゼル６２の内縁側下面との間に配置しているが、これらの導電性部分が対接する範囲に応じて、少なくとも当該範囲内に絶縁領域５８を配置すればよい。【０２１６】
絶縁領域５８は、平面方向において、時計ケース胴体１１、ベゼル６２および見返しリング３６の周方向の全体に渡り連続して形成するようにしてもよいが、周方向における一部に形成してもよい。【０２１７】
この場合、アンテナ２６の開放端部の近くにおいてベゼル６２の誘導電流を効果的に防止するという点では、アンテナ２６の上方近傍、特に、アンテナ２６の開放端部の上方近傍に少なくとも配置することが望ましい。平面方向から見たアンテナ２６の上方近傍の例を図１８に示す。同図において、斜線で示した領域７１が、アンテナ２６の上方近傍である。なお、説明の便宜のために、見返しリング３６は、内周側端部のみ二点鎖線で図示している。【０２１８】
また、平面方向から見たアンテナ２６の両側の開放端部２６ａ，２６ｂのそれぞれの上方近傍の例を図１９に示す。同図において、斜線で示した２つの領域７２が、開放端部２６ａ，２６ｂの上方近傍である。絶縁領域５８は、これらの位置のそれぞれに少なくとも配置されていることが特に好ましい。【０２１９】
また、平面方向から見たアンテナ２６の片側の開放端部２６ａの上方近傍の例を図２０に示す。同図において、斜線で示した領域７２が、開放端部２６ａの上方近傍である。絶縁領域５８は、この位置（開放端部２６ｂの上方近傍であってもよい）に少なくとも配置されていることが好ましい。
（実施例１１）
図２１は、本発明の無線機能付き時計の別の実施例を示した図１７と同様な断面図である。【０２２０】
この実施例の無線機能付き時計１０は、図１６および図１７に示した無線機能付き時計１０と基本的には同様な構成であり、同一の構成部材には同一の符号を付してその詳細な説明を省略する。【０２２１】
この実施例の無線機能付き時計１０は、時計ケース胴体１１の上面部に、ベゼル収容凹部６０が溝状に形成されており、このベゼル収容凹部６０内に、ベゼル６２の下部側が嵌合されている。なお、図２１中、符号６１は、ベゼル６２と時計ケース胴体１１との間を密封状態で封止するための防水パッキンである。【０２２２】
そして、時計ケース胴体１１の内周側には、フランジ形状の見返し受け部３２が環状に突設されており、この見返し受け部３２上に、導電性の見返しリング３６が装着されている。【０２２３】
この実施例における無線機能付き時計１０では、図２１に示したように、時計ケース１４におけるベゼル収容凹部６０の底面と、ベゼル６２の下面との間に、絶縁領域５８が配置されている。
このような絶縁領域５８を設けることにより、導電性の時計ケース胴体１１と導電性のベゼル６２との間の導通が遮断され、時計ケース胴体１１と、ベゼル６２との間で絶縁されることになるので、時計ケースによる外部からの電波が遮蔽されにくくなり、導電性の時計ケースなどを採用した場合にも、アンテナの受信感度が向上する。【０２２４】
また、最も体積の大きい導電性部品である金属製の時計ケースを、複数の部品に分割し、これらの間を絶縁することによって、複数の部品に分割しない一体の時計ケースの場合に発生する大きな渦電流に比較して、分割された部品毎に、すなわち、時計ケース胴体１１と、ベゼル６２と、見返しリング３６とからなる環状部材に小さな渦電流が発生することになるので、渦電流によるアンテナの受信感度の低下も低減でき、導電性の時計ケース１４などを採用した場合にも、図１６および図１７に示した実施例と同様にアンテナの受信感度が大幅に向上する。
（実施例１２）
図２２は、本発明の別の実施例における無線機能付き時計の図１７と同様な断面図である。なお、本実施例における無線機能付き時計の分解斜視図は図１６と同様である。【０２２５】
本実施例の無線機能付き時計１０は、図１６および図１７に示した実施例の無線機能付き時計と基本的には同様な構成であり、同一の構成部材には同一の符号を付してその詳細な説明を省略する。【０２２６】
本実施例における無線機能付き時計１０では、図２２に示したように、ベゼル６２に形成された見返し受け部３２の上面と、この見返し受け部３２に載置された見返しリング３６の下面との間から、段部３４の側面部３４ｂと見返しリング３６の外周面との間までの範囲に、絶縁領域５８が配置されている。【０２２７】
このような絶縁領域５８を設けることにより、導電性のベゼル６２と導電性の見返しリング３６との間の導通が遮断され、ベゼル６２と見返しリング３６との間で絶縁されることになるので、時計ケースによる外部からの電波が遮蔽されにくくなり、導電性の時計ケースなどを採用した場合にも、アンテナの受信感度が向上する。【０２２８】
また、最も体積の大きい導電性部品である金属製の時計ケースを、複数の部品に分割し、これらの間を絶縁することによって、複数の部品に分割しない一体の時計ケースの場合に発生する大きな渦電流に比較して、分割された部品毎に、すなわち、時計ケース胴体１１と、ベゼル６２と、見返しリング３６とからなる環状部材に小さな渦電流が発生することになるので、渦電流によるアンテナの受信感度の低下も低減でき、導電性の時計ケース１４などを採用した場合にも、図１６および図１７に示した実施例と同様にアンテナの受信感度が大幅に向上する。【０２２９】
なお、本実施例では、絶縁領域５８を、ベゼル６２に形成された見返し受け部３２の上面と、この見返し受け部３２に載置された見返しリング３６の下面との間から、段部３４の側面部３４ｂと見返しリング３６の外周面との間までの範囲に形成しているが、段部３４の側面部３４ｂと見返しリング３６の外周面との間に隙間がありこれらが当接しない場合には、少なくとも見返し受け部３２の上面と見返しリング３６の下面との間に第２の絶縁領域５８が形成されていればよい。【０２３０】
絶縁領域５８は、平面方向において、時計ケース胴体１１、ベゼル６２および見返しリング３６の周方向の全体に渡り連続して形成するようにしてもよいが、周方向における一部に形成してもよい。【０２３１】
この場合、アンテナ２６の開放端部の近くにおいてベゼル６２および見返しリング３６の誘導電流を効果的に防止するという点では、アンテナ２６の上方近傍、特に、アンテナ２６の開放端部の上方近傍に少なくとも配置することが望ましい。【０２３２】
アンテナ２６の上方近傍およびアンテナ２６の開放端部の上方近傍は、上述の図１６および図１７に示した実施例において説明した場合と同様であり、その具体例は、平面視において図１８〜図２０に示した範囲と同様である。
（実施例１３）
図２３は、本発明の無線機能付き時計の別の実施例を示した図２２と同様な断面図である。【０２３３】
この実施例の無線機能付き時計１０は、図２１に示した実施例の無線機能付き時計と基本的には同様な構成であり、同一の構成部材には同一の符号を付してその詳細な説明を省略する。
この無線機能付き時計１０は、時計ケース胴体１１の上面部に、ベゼル収容凹部６０が溝状に形成されており、このベゼル収容凹部６０内に、ベゼル６２の下部側が嵌合されている。【０２３４】
そして、時計ケース胴体１１の内周側には、フランジ形状の見返し受け部３２が環状に突設されており、この見返し受け部３２上に、導電性の見返しリング３６が装着されている。【０２３５】
この実施例における無線機能付き時計１０では、図２３に示したように、ベゼル６２と見返しリング３６とが対接する、ベゼル６２の内周面（段部３４の側面部３４ｂ）と見返しリング３６の外周面との間に、絶縁領域５８が配置されている。【０２３６】
このような絶縁領域５８を設けることにより、導電性のベゼル６２と導電性の見返しリング３６との間の導通が遮断され、ベゼル６２と見返しリング３６との間で絶縁されることになるので、時計ケースによる外部からの電波が遮蔽されにくくなり、導電性の時計ケースなどを採用した場合にも、アンテナの受信感度が向上する。【０２３７】
また、最も体積の大きい導電性部品である金属製の時計ケースを、複数の部品に分割し、これらの間を絶縁することによって、複数の部品に分割しない一体の時計ケースの場合に発生する大きな渦電流に比較して、分割された部品毎に、すなわち、時計ケース胴体１１と、ベゼル６２と、見返しリング３６とからなる環状部材に小さな渦電流が発生することになるので、渦電流によるアンテナの受信感度の低下も低減でき、導電性の時計ケース１４などを採用した場合にも、図１６および図１７に示した実施例と同様にアンテナの受信感度が大幅に向上する。
（実施例１４）
図２４は、本発明の無線機能付き時計の別の実施例を示した絶縁領域周辺の拡大断面図である。【０２３８】
この実施例の無線機能付き時計１０は、図１６および図１７に示した実施例の無線機能付き時計１０と基本的には同様な構成であり、同一の構成部材には同一の符号を付してその詳細な説明を省略する。【０２３９】
この実施例の無線機能付き時計１０は、見返しリング３６の全面に絶縁領域５８を形成している。このような絶縁領域５８は、例えば、見返しリング３６の全面に被覆した絶縁被膜として構成することができ、その形成方法としては、例えば、ディッピングなどを挙げることができる。【０２４０】
このような絶縁領域５８を設けることによっても、導電性のベゼル６２と導電性の見返しリング３６との間の導通が遮断され、ベゼル６２と見返しリング３６との間で絶縁されることになるので、時計ケースによる外部からの電波が遮蔽されにくくなり、導電性の時計ケースなどを採用した場合にも、アンテナの受信感度が向上する。【０２４１】
また、最も体積の大きい導電性部品である金属製の時計ケースを、複数の部品に分割し、これらの間を絶縁することによって、複数の部品に分割しない一体の時計ケースの場合に発生する大きな渦電流に比較して、分割された部品毎に、すなわち、時計ケース胴体１１と、ベゼル６２と、見返しリング３６とからなる環状部材に小さな渦電流が発生することになるので、渦電流によるアンテナの受信感度の低下も低減でき、導電性の時計ケース１４などを採用した場合にも、図１６および図１７に示した実施例と同様にアンテナの受信感度が大幅に向上する。
（実施例１５）
図２５は、本発明の別の実施例における無線機能付き時計の図１７と同様な断面図である。なお、本実施例における無線機能付き時計の分解斜視図は図１６と同様である。【０２４２】
本実施例の無線機能付き時計１０は、図１６および図１７に示した実施例の無線機能付き時計と基本的には同様な構成であり、同一の構成部材には同一の符号を付してその詳細な説明を省略する。【０２４３】
本実施例における無線機能付き時計１０では、図２５に示したように、時計ケース胴体１１の内縁側上面と、ベゼル６２の内縁側下面との間に、時計ケース胴体１１とベゼル６２とを絶縁する絶縁領域５８が配置されている。【０２４４】
さらに、ベゼル６２に形成された見返し受け部３２の上面と、この見返し受け部３２に載置された見返しリング３６の下面との間から、段部３４の側面部３４ｂと見返しリング３６の外周面との間までの範囲に、見返しリング３６とベゼル６２とを絶縁する絶縁領域５８が配置されている。【０２４５】
このような絶縁領域５８を設けることにより、導電性の時計ケース胴体１１および導電性の見返しリング３６と、導電性のベゼル６２との間の導通が遮断され、時計ケース胴体１１と、ベゼル６２と、見返しリング３６との間で絶縁されることになるので、時計ケースによる外部からの電波が遮蔽されにくくなり、導電性の時計ケースなどを採用した場合にも、アンテナの受信感度が向上する。【０２４６】
また、最も体積の大きい導電性部品である金属製の時計ケースを、複数の部品に分割し、これらの間を絶縁することによって、複数の部品に分割しない一体の時計ケースの場合に発生する大きな渦電流に比較して、分割された部品毎に、すなわち、時計ケース胴体１１と、ベゼル６２と、見返しリング３６とからなる環状部材に小さな渦電流が発生することになるので、渦電流によるアンテナの受信感度の低下も低減でき、導電性の時計ケース１４などを採用した場合にも、図１６および図１７に示した実施例と同様にアンテナの受信感度が大幅に向上する。【０２４７】
なお、本実施例では、絶縁領域５８を、時計ケース胴体１１とベゼル６２とが対接する範囲である時計ケース胴体１１の内縁側上面とベゼル６２の内縁側下面との間に配置しているが、これらの導電性部分が対接する範囲に応じて、少なくとも当該範囲内に絶縁領域５８を配置すればよい。【０２４８】
また、本実施例では、絶縁領域５８を、ベゼル６２に形成された見返し受け部３２の上面と、この見返し受け部３２に載置された見返しリング３６の下面との間から、段部３４の側面部３４ｂと見返しリング３６の外周面との間までの範囲に形成しているが、段部３４の側面部３４ｂと見返しリング３６の外周面との間に隙間がありこれらが当接しない場合には、少なくとも見返し受け部３２の上面と見返しリング３６の下面との間にこれらを絶縁する絶縁領域５８が形成されていればよい。【０２４９】
絶縁領域５８は、平面方向において、時計ケース胴体１１、ベゼル６２および見返しリング３６の周方向の全体に渡り連続して形成するようにしてもよいが、周方向における一部に形成してもよい。【０２５０】
この場合、アンテナ２６の開放端部の近くにおいてベゼル６２および見返しリング３６の誘導電流を効果的に防止するという点では、アンテナ２６の上方近傍、特に、アンテナ２６の開放端部の上方近傍に少なくとも配置することが望ましい。アンテナ２６の上方近傍およびアンテナ２６の開放端部の上方近傍は、上述の図１６および図１７に示した実施例において説明した場合と同様であり、その具体例は、平面視において図１８〜図２０に示した範囲と同様である。
（実施例１６）
図２６は、本発明の無線機能付き時計の別の実施例を示した図２５と同様な断面図である。【０２５１】
この実施例の無線機能付き時計１０は、図２１に示した実施例の無線機能付き時計と基本的には同様な構成であり、同一の構成部材には同一の符号を付してその詳細な説明を省略する。【０２５２】
この実施例の無線機能付き時計１０は、時計ケース胴体１１の上面部に、ベゼル収容凹部６０が溝状に形成されており、このベゼル収容凹部６０内に、ベゼル６２の下部側が嵌合されている。なお、図２６中、符号６１は、ベゼル６２と時計ケース胴体１１との間を密封状態で封止するための防水パッキンである。
そして、時計ケース胴体１１の内周側には、フランジ形状の見返し受け部３２が環状に突設されており、この見返し受け部３２上に、導電性の見返しリング３６が装着されている。【０２５３】
この実施例の無線機能付き時計１０では、図２６に示したように、時計ケース胴体１１におけるベゼル収容凹部６０の底面と、ベゼル６２の下面との間に、時計ケース胴体１１とベゼル６２とを絶縁する絶縁領域５８が配置されている。さらに、ベゼル６２と見返しリング３６とが対接する、ベゼル６２の内周面（段部３４の側面部３４ｂ）と見返しリング３６の外周面との間に、見返しリング３６とベゼル６２とを絶縁する絶縁領域５８が配置されている。【０２５４】
このような絶縁領域５８を設けることにより、導電性の時計ケース胴体１１および導電性の見返しリング３６と、導電性のベゼル６２との間の導通が遮断され、時計ケース胴体１１と、ベゼル６２と、見返しリング３６との間で絶縁されることになるので、時計ケースによる外部からの電波が遮蔽されにくくなり、導電性の時計ケースなどを採用した場合にも、アンテナの受信感度が向上する。【０２５５】
また、最も体積の大きい導電性部品である金属製の時計ケースを、複数の部品に分割し、これらの間を絶縁することによって、複数の部品に分割しない一体の時計ケースの場合に発生する大きな渦電流に比較して、分割された部品毎に、すなわち、時計ケース胴体１１と、ベゼル６２と、見返しリング３６とからなる環状部材に小さな渦電流が発生することになるので、渦電流によるアンテナの受信感度の低下も低減でき、導電性の時計ケース１４などを採用した場合にも、図１６および図１７に示した実施例と同様にアンテナの受信感度が大幅に向上する。
（実施例１７）
図２７は、本発明の無線機能付き時計の別の実施例を示した絶縁領域周辺の拡大断面図である。【０２５６】
この実施例の無線機能付き時計１０は、図２１に示した実施例の無線機能付き時計１０と基本的には同様な構成であり、同一の構成部材には同一の符号を付してその詳細な説明を省略する。【０２５７】
この無線機能付き時計１０は、ベゼル６２の全面に絶縁領域５８を形成している。このような絶縁領域５８は、例えば、ベゼル６２の全面に被覆した絶縁被膜として構成することができ、その形成方法としては、例えば、ディッピングなどを挙げることができる。
このような絶縁領域５８を設けることによっても、導電性の時計ケース胴体１１および導電性の見返しリング３６と、導電性のベゼル６２との間の導通が遮断され、時計ケース胴体１１と、ベゼル６２と、見返しリング３６との間で絶縁されることになるので、時計ケースによる外部からの電波が遮蔽されにくくなり、導電性の時計ケースなどを採用した場合にも、アンテナの受信感度が向上する。【０２５８】
また、最も体積の大きい導電性部品である金属製の時計ケースを、複数の部品に分割し、これらの間を絶縁することによって、複数の部品に分割しない一体の時計ケースの場合に発生する大きな渦電流に比較して、分割された部品毎に、すなわち、時計ケース胴体１１と、ベゼル６２と、見返しリング３６とからなる環状部材に小さな渦電流が発生することになるので、渦電流によるアンテナの受信感度の低下も低減でき、導電性の時計ケース１４などを採用した場合にも、図１６および図１７に示した実施例と同様にアンテナの受信感度が大幅に向上する。
（実施例１８）
図２８は、本発明の別の実施例における無線機能付き時計の図２と同様な断面図である。【０２５９】
この実施例の無線機能付き時計１０は、図１および図２に示した無線機能付き時計１０と基本的には同様な構成であり、同一の構成部材には同一の符号を付してその詳細な説明を省略する。【０２６０】
この実施例の無線機能付き時計１０では、図２８に示したように、時計ケース１４は、複数の部品に分割されており、時計ケース胴体１１と、導電性のベゼル６２とに分割されている。【０２６１】
そして、時計ケース胴体１１の上面内側部には、ベゼル収容凹部６０が段部形状に形成されており、このベゼル収容凹部６０内にベゼル６２の下部側が嵌合される形態で、導電性のベゼル６２が配置されている。【０２６２】
このベゼル６２は、ベゼル収容凹部６０上に配置されるベゼル本体部６４と、ベゼル本体部６４から、文字板２４上に延設され、文字板２４上に配置される延設部６６とを備えている。また、ベゼル６２の内面側には、下方に向かって径が小さくなるテーパー面６８が形成され、このテーパー面６８上に、時字などの指標が形成される。【０２６３】
なお、図２８中、符号６１は、ベゼル６２と時計ケース胴体１１との間を密封状態で封止するための防水パッキンである。また、ベゼル６２の上端内周側には、風防１８を密封状態で固定するための固定（防水）パッキン４６が介装されている。【０２６４】
また、ムーブメント２０の側部上方の大径部２０ｂと、中子部材４８の上端部と、時計ケース胴体１１の内側部の間には、支持枠５４が介装されている。支持枠５４は、合成樹脂などの非導電性材料からなり、導電性の時計ケース胴体１１と、アンテナ２６と、時計ケース胴体１１との平面方向に沿った隙間を確保し、アンテナ２６の受信性能を高く維持する。【０２６５】
この実施例の無線機能付き時計１０では、図２８に示したように、ベゼル６２と時計ケース胴体１１との間に、絶縁領域５８が配置されている。【０２６６】
このような絶縁領域５８を設けることにより、導電性の時計ケース胴体１１と導電性のベゼル６２との間の導通が遮断される。これにより、時計ケース胴体１１とベゼル６２との間で絶縁されることになるので、時計ケースによる外部からの電波が遮蔽されにくくなり、導電性の時計ケースなどを採用した場合にも、アンテナの受信感度が向上する。【０２６７】
また、最も体積の大きい導電性部品である金属製の時計ケースを、複数の部品に分割し、これらの間を絶縁することによって、複数の部品に分割しない一体の時計ケースの場合に発生する大きな渦電流に比較して、分割された部品毎に、すなわち、時計ケース胴体１１とベゼル６２とからなる環状部材に小さな渦電流が発生することになるので、渦電流によるアンテナの受信感度の低下も低減でき、導電性の時計ケースなどを採用した場合にも、アンテナ２６の受信感度は大幅に向上する。【０２６８】
この場合、絶縁領域５８としては、図１および図２の実施例に示したような絶縁被膜、絶縁部材を採用することができ、また、図１０に示した実施例のように、ベゼル６２の全面に絶縁領域５８を形成することもできることは、上記で説明した全ての実施例と同様である。【０２６９】
絶縁領域５８は、平面方向において、時計ケース胴体１１、ベゼル６２の周方向の全体に渡り連続して形成するようにしてもよいが、周方向における一部に形成してもよい。この場合、アンテナ２６の開放端部の近くにおいてベゼル６２の誘導電流を効果的に防止するという点では、アンテナ２６の上方近傍、特に、アンテナ２６の開放端部の上方近傍に少なくとも配置することが望ましい。アンテナ２６の上方近傍およびアンテナ２６の開放端部の上方近傍は、上述の実施例１において説明した場合と同様であり、その具体例は、平面視において図３〜図５に示した範囲と同様である。【０２７０】
ところで、このような金属製外装が採用され、金属製の時計ケース１４を複数の部品に分割されており、時計ケース胴体１１と、導電性のベゼル６２とに分割された無線機能付き時計１０においては、人の手首側でグランドとして機能する裏蓋１６と時計ケース胴体１１と、ベゼル６２とが、防水パッキン６１、絶縁領域５８によって電気的に絶縁状態となっている場合には、風防１８側からの静電気がベゼル６２に蓄積してしまうことがある。【０２７１】
この静電気の作用によって、図３５の特許文献２の点線で示したように、分針２２２が風防２０８側に当接してしまい、分針２２２が動かない状態が生じたり、静電気の作用によって、このような分針２２２を伝って、静電気がムーブメント２１６に達して、ムーブメント２１６の作動を阻害してしまうことになる。【０２７２】
このため、本願発明では、図２８に示したように、最も風防１８の近くに配置される指針７０における開放端、特に最も針軸３１から離れた開放端上面と、風防１８の下面との最短距離Ｌを、指針７０の材質、剛性、形状などによるが、腕時計であるならば、好ましくは、４００μｍ以上、より好ましくは４５０μｍ以上、さらに好ましくは５００μｍ以上としている。【０２７３】
なお、この場合、距離Ｌの上限は、腕時計の意匠によって決定されるものである。【０２７４】
また、例えば、図２９に示したように、風防１８が湾曲している場合には、指針７０の直ぐ上方までの距離ではなく、指針７０と風防１８の最短距離を意味するものである。【０２７５】
また、文字板２４として、ソーラー駆動腕時計であるので透光性、非導電性、非磁性材料が主体となるため、時計ケース胴体１１やベゼル６２など、周囲の導電性部品と絶縁されるようになっている。【０２７６】
これにより、上記のように静電気が、風防１８側からの静電気がベゼル６２に蓄積した場合にも、が指針７０動かない状態が生じたり、静電気の作用によって、このような指針７０を伝って、静電気がムーブメント２０に達して、ムーブメント２１６の作動を阻害してしまうことが防止されるようになっている。
（実施例１９）
図３０は、本発明の別の実施例における無線機能付き時計の図２と同様な断面図である。【０２７７】
この実施例の無線機能付き時計１０は、図１および図２に示した無線機能付き時計１０と基本的には同様な構成であり、同一の構成部材には同一の符号を付してその詳細な説明を省略する。【０２７８】
この実施例の無線機能付き時計１０では、図３０に示したように、時計ケース１４は、複数の部品に分割されており、時計ケース胴体１１と、導電性のベゼル６２とに分割されている。また、この時計ケース胴体１１は、上部時計ケース胴体１３と、下部時計ケース胴体１５とに、さらに分割されている。【０２７９】
そして、上部時計ケース胴体１３の上面内側部には、ベゼル収容凹部６０が段部形状に形成されており、このベゼル収容凹部６０内にベゼル６２の下部側が嵌合される形態で、導電性のベゼル６２が配置されている。【０２８０】
なお、図３０中、符号６１は、ベゼル６２と上部時計ケース胴体１３との間を密封状態で封止するための防水パッキン、符号６３は、上部時計ケース胴体１３と、下部時計ケース胴体１５との間に介装され、上部時計ケース胴体１３と、下部時計ケース胴体１５との間を密封状態で封止するための防水パッキンある。【０２８１】
この実施例の無線機能付き時計１０では、図３０に示したように、ベゼル６２と上部時計ケース胴体１３との間、ならびに、上部時計ケース胴体１３と下部時計ケース胴体１５との間に、それぞれ絶縁領域５８が配置されている。【０２８２】
このような絶縁領域５８を設けることにより、導電性のベゼル６２と上部時計ケース胴体１３との間、ならびに、上部時計ケース胴体１３と下部時計ケース胴体１５との間の導通が遮断される。【０２８３】
これにより、ベゼル６２と上部時計ケース胴体１３との間、ならびに、上部時計ケース胴体１３と下部時計ケース胴体１５との間で、それぞれ絶縁されることになるので、時計ケースによる外部からの電波が遮蔽されにくくなり、導電性の時計ケースなどを採用した場合にも、アンテナの受信感度が向上する。【０２８４】
また、最も体積の大きい導電性部品である金属製の時計ケースを、複数の部品に分割し、これらの間を絶縁することによって、複数の部品に分割しない一体の時計ケースの場合に発生する大きな渦電流に比較して、分割された部品毎に、すなわち、上部時計ケース胴体１３と、下部時計ケース胴体１５とベゼル６２とからなる環状部材に小さな渦電流が発生することになるので、渦電流によるアンテナの受信感度の低下も低減でき、導電性の時計ケースなどを採用した場合にも、アンテナ２６の受信感度は大幅に向上する。
（実施例２０）
図３１は、本発明の別の実施例における無線機能付き時計の図３０と同様な断面図である。【０２８５】
この実施例の無線機能付き時計１０は、図３０に示した無線機能付き時計１０と基本的には同様な構成であり、同一の構成部材には同一の符号を付してその詳細な説明を省略する。【０２８６】
この実施例の無線機能付き時計１０では、図３１に示したように、ベゼル６２と上部時計ケース胴体１３との間、上部時計ケース胴体１３と下部時計ケース胴体１５との間だけでなく、さらに、下部時計ケース胴体１５と裏蓋１６との間に、それぞれ絶縁領域５８が配置されている。【０２８７】
このような絶縁領域５８を設けることにより、導電性の上部時計ケース胴体１３と導電性のベゼル６２との間、上部時計ケース胴体１３と下部時計ケース胴体１５との間、ならびに、下部時計ケース胴体１５と裏蓋１６との間の導通が遮断される。【０２８８】
これにより、上部時計ケース胴体１３と導電性のベゼル６２との間、上部時計ケース胴体１３と下部時計ケース胴体１５との間、ならびに、下部時計ケース胴体１５と裏蓋１６との間で、それぞれ絶縁されることになるので、時計ケースによる外部からの電波が遮蔽されにくくなり、導電性の時計ケースなどを採用した場合にも、アンテナの受信感度が向上する。【０２８９】
また、最も体積の大きい導電性部品である金属製の時計ケースを、複数の部品に分割し、これらの間を絶縁することによって、複数の部品に分割しない一体の時計ケースの場合に発生する大きな渦電流に比較して、分割された部品毎に、すなわち、上部時計ケース胴体１３と、下部時計ケース胴体１５とベゼル６２とからなる環状部材に小さな渦電流が発生することになるので、渦電流によるアンテナの受信感度の低下も低減でき、導電性の時計ケースなどを採用した場合にも、アンテナ２６の受信感度は大幅に向上する。
（実施例２１）
図３２は、本発明の別の実施例における無線機能付き時計の図２と同様な断面図である。【０２９０】
この実施例の無線機能付き時計１０は、図１および図２、図９に示した無線機能付き時計１０と基本的には同様な構成であり、同一の構成部材には同一の符号を付してその詳細な説明を省略する。【０２９１】
この実施例の無線機能付き時計１０では、図３１に示したように、時計ケース１４は、複数の部品に分割されており、時計ケース胴体１１と、導電性のベゼル６２と、見返しリング３６とに分割されている。また、この時計ケース胴体１１は、図３１に示した実施例と同様に、上部時計ケース胴体１３と、下部時計ケース胴体１５とに、さらに分割されている。【０２９２】
そして、時計ケース胴体１１の内周側には、フランジ形状の見返し受け部３２が環状に突設されており、この見返し受け部３２によって形成される段部３４上に、導電性の見返しリング３６が装着されている。【０２９３】
なお、図３１中、符号６１は、ベゼル６２と上部時計ケース胴体１３との間を密封状態で封止するための防水パッキン、符号６３は、上部時計ケース胴体１３と、下部時計ケース胴体１５との間に介装され、上部時計ケース胴体１３と、下部時計ケース胴体１５との間を密封状態で封止するための防水パッキンある。【０２９４】
この実施例の無線機能付き時計１０では、図３１に示したように、ベゼル６２と上部時計ケース胴体１３との間、ならびに、上部時計ケース胴体１３と下部時計ケース胴体１５との間に、それぞれ絶縁領域５８が配置されている。【０２９５】
また、図３１に示したように、ベゼル６２に形成された見返し受け部３２の上面と、この見返し受け部３２に載置された見返しリング３６の下面との間から、段部３４の側面部３４ｂと見返しリング３６の外周面との間までの範囲に、絶縁領域５８が配置されている。【０２９６】
このような絶縁領域５８を設けることにより、導電性の上部時計ケース胴体１３と導電性のベゼル６２との間、上部時計ケース胴体１３と下部時計ケース胴体１５との間、ならびに、導電性のベゼル６２と導電性の見返しリング３６との間の導通が遮断される。【０２９７】
これにより、上部時計ケース胴体１３と導電性のベゼル６２との間、上部時計ケース胴体１３と下部時計ケース胴体１５との間、ならびに、導電性のベゼル６２と導電性の見返しリング３６との間で、それぞれ絶縁されることになるので、時計ケースによる外部からの電波が遮蔽されにくくなり、導電性の時計ケースなどを採用した場合にも、アンテナの受信感度が向上する。【０２９８】
また、最も体積の大きい導電性部品である金属製の時計ケースを、複数の部品に分割し、これらの間を絶縁することによって、複数の部品に分割しない一体の時計ケースの場合に発生する大きな渦電流に比較して、分割された部品毎に、すなわち、上部時計ケース胴体１３と、下部時計ケース胴体１５と、ベゼル６２と、見返しリング３６とからなる環状部材に小さな渦電流が発生することになるので、渦電流によるアンテナの受信感度の低下も低減でき、導電性の時計ケースなどを採用した場合にも、アンテナ２６の受信感度は大幅に向上する。
（実施例２２）
図３３は、本発明の別の実施例における無線機能付き時計の図３２と同様な断面図である。【０２９９】
この実施例の無線機能付き時計１０は、図３２に示した無線機能付き時計１０と基本的には同様な構成であり、同一の構成部材には同一の符号を付してその詳細な説明を省略する。【０３００】
この実施例の無線機能付き時計１０では、図３２に示したように、ベゼル６２と上部時計ケース胴体１３との間、上部時計ケース胴体１３と下部時計ケース胴体１５との間、ならびに、下部時計ケース胴体１５と裏蓋１６との間に、それぞれ絶縁領域５８が配置されている。【０３０１】
また、図３２に示したように、ベゼル６２に形成された見返し受け部３２の上面と、この見返し受け部３２に載置された見返しリング３６の下面との間から、段部３４の側面部３４ｂと見返しリング３６の外周面との間までの範囲に、絶縁領域５８が配置されている。【０３０２】
このような絶縁領域５８を設けることにより、導電性の上部時計ケース胴体１３と導電性のベゼル６２との間、上部時計ケース胴体１３と下部時計ケース胴体１５との間、下部時計ケース胴体１５と裏蓋１６との間、ならびに、導電性のベゼル６２と導電性の見返しリング３６との間の導通が遮断される。【０３０３】
これにより、上部時計ケース胴体１３と導電性のベゼル６２との間、上部時計ケース胴体１３と下部時計ケース胴体１５との間、下部時計ケース胴体１５と裏蓋１６との間、ならびに、導電性のベゼル６２と導電性の見返しリング３６との間で、それぞれ絶縁されることになるので、時計ケースによる外部からの電波が遮蔽されにくくなり、導電性の時計ケースなどを採用した場合にも、アンテナの受信感度が向上する。【０３０４】
また、最も体積の大きい導電性部品である金属製の時計ケースを、複数の部品に分割し、これらの間を絶縁することによって、複数の部品に分割しない一体の時計ケースの場合に発生する大きな渦電流に比較して、分割された部品毎に、すなわち、上部時計ケース胴体１３と、下部時計ケース胴体１５と、ベゼル６２と、見返しリング３６とからなる環状部材に小さな渦電流が発生することになるので、渦電流によるアンテナの受信感度の低下も低減でき、導電性の時計ケースなどを採用した場合にも、アンテナ２６の受信感度は大幅に向上する。【０３０５】
以下、上述した実施例の電波腕時計を用いた試験例について説明する。
＜電波腕時計＞
見返しリング：黄銅の表面にニッケルメッキを施したもの
時計ケース：ステンレススチール（ＳＵＳ３１６Ｌ）
裏蓋：ステンレススチール（ＳＵＳ３１６Ｌ）
絶縁領域：ＰＥＴフィルム
＜試験内容＞
上記部材を組み立てて図２の構造をもつ電波腕時計を作製し、ハウジング内に収容されたアンテナの利得を測定した（試験例１）。受信電波は、標準電波（４０Ｈｚ、６０Ｈｚ）であった。【０３０６】
比較用として、アンテナをハウジングに収容せず電波を直接受信した（試験例２）。【０３０７】
また、絶縁領域を設けなかった以外は試験例１と同様にして図２の構造をもつ電波腕時計を作製し、ハウジング内に収容されたアンテナの利得を測定した（試験例３）。【０３０８】
その結果、絶縁領域を設けた試験例１では、アンテナをハウジングに収容せず電波を直接受信した試験例２と同程度の受信感度を有しており、絶縁領域を設けなかった試験例３と比較して受信感度が大幅に上昇した。【０３０９】
また、以下、上述した実施例の電波腕時計を用いた試験例について説明する。
＜電波腕時計＞
ベゼル：ステンレススチール（ＳＵＳ３１６Ｌ）
見返しリング：黄銅の表面にニッケルメッキを施したもの
時計ケース：ステンレススチール（ＳＵＳ３１６Ｌ）
裏蓋：ステンレススチール（ＳＵＳ３１６Ｌ）
絶縁領域：（ＰＥＴフィルム）
＜試験内容＞
上記部材を組み立てて図１７の構造をもつ電波腕時計を作製し、ハウジング内に収容されたアンテナの利得を測定した（試験例４）。受信電波は、標準電波（４０Ｈｚ、６０Ｈｚ）であった。【０３１０】
比較用として、アンテナをハウジングに収容せず電波を直接受信した（試験例５）。【０３１１】
また、絶縁領域を設けなかった以外は試験例１と同様にして図２の構造をもつ電波腕時計を作製し、ハウジング内に収容されたアンテナの利得を測定した（試験例６）。
その結果、絶縁領域を設けた試験例４では、アンテナをハウジングに収容せず電波を直接受信した試験例５と同程度の受信感度を有しており、絶縁領域を設けなかった試験例６と比較して受信感度が大幅に上昇した。【０３１２】
以上、本発明の実施例について説明したが、本発明は、上述した実施例に何ら限定されるものではなく、その要旨を逸脱しない範囲内において各種の変形、変更が可能である。例えば、見返しリングと時計ケースまたはベゼルとの取り付け、文字板と時計ケースとの取り付け、時計ケースと裏蓋との固定、時計ケースまたはベゼルと風防との固定などの方法としては、各種の方法を適用できる。【０３１３】
また、以上の実施例では、文字板２４と、ベゼル６２、見返しリング３６、時計ケース胴体１１との間には、絶縁領域５８が配置されていないが、例えば、文字板２４が導電性を有する金属製などの場合には、文字板２４とこれらの部材の間などにも、上記実施例のように絶縁領域５８を配置することも可能である。【０３１４】
また、例えば、絶縁領域は、本発明の効果が得られるのであれば適宜の位置に配置することができる。図１６および図１７の実施例では、時計ケース１４の内縁側上面と、ベゼル６２の内縁側下面との間に、絶縁領域５８を配置したが、これに代えて、時計ケース１４の外縁側上面と、ベゼル６２の外縁側下面との間に絶縁領域５８を配置するようにしてもよい。【０３１５】
また、図２１に示した実施例では、時計ケース１４におけるベゼル収容凹部６０の底面と、ベゼル６２の下面との間に絶縁領域５８を配置したが、これに代えて、時計ケース１４の外縁側上面と、ベゼル６２における外側に延出した部分の下面との間に絶縁領域５８を配置するようにしてもよい。これらは図２５に示した実施例および図２６に示した実施例についても同様である。【０３１６】
例えば、時計ケースや見返しリングとベゼルとの取り付け、文字板と時計ケースとの取り付け、時計ケースと裏蓋との固定、ベゼルと風防との固定などの方法としては、各種の方法を適用できる。【０３１７】
実施例において例示した各部品の相対的な位置関係は、必要に応じて適宜に変更できる。また、部品それぞれの機能が達成されれば、部品それぞれの材質や形状は何ら限定されるものではない。【０３１８】
裏蓋と時計ケースとが一体化された単一の部品である態様、文字板と時計ケースとが一体化された単一の部品である態様、および、時計ケースと風防とが一体化された単一の部品である態様も本発明に含まれる。【０３１９】
文字板は、液晶表示ユニットに置換されてもよい。液晶表示ユニットが用いられた場合、表示針は排除されてもよい。本発明における無線機能付き時計の構造は、腕時計に適用された場合に上述の顕著な効果を発揮する。しかしながら、本発明における無線機能付き時計の構造は、腕時計以外に、置き時計や掛け時計にも適用され得る。【０３２０】
上述した実施例では、時刻情報を含む長波標準電波（搬送波）を受信し、その時刻情報に基づいて時刻を修正する無線機能を備えた電波時計について説明したが、本発明における無線機能付き時計の構造は、パソコン通信機能、携帯電話機能や非接触式ＩＣカード機能などの無線機能を備える時計にも適用され得る。
【産業上の利用可能性】
【０３２１】
本発明は、無線機能付き時計、特に、所定の電波を受信できるアンテナと、アンテナを収容するための導電性のハウジングを備えた時計に関し、特に、ハウジングの少なくとも一部を構成し、少なくとも一部が導電性である時計ケースが、複数に分割された部品、例えば、導電性の胴体、導電性のベゼル、導電性の見返しリングを備えた時計に適用できる。
【図１】
2008007783.tif 000003
【図２】
2008007783.tif 000004
【図３】
2008007783.tif 000005
【図４】
2008007783.tif 000006
【図５】
2008007783.tif 000007
【図６】
2008007783.tif 000008
【図７】
2008007783.tif 000009
【図８】
2008007783.tif 000010
【図９】
2008007783.tif 000011
【図１０】
2008007783.tif 000012
【図１１】
2008007783.tif 000013
【図１２】
2008007783.tif 000014
【図１３】
2008007783.tif 000015
【図１４】
2008007783.tif 000016
【図１５】
2008007783.tif 000017
【図１６】
2008007783.tif 000018
【図１７】
2008007783.tif 000019
【図１８】
2008007783.tif 000020
【図１９】
2008007783.tif 000021
【図２０】
2008007783.tif 000022
【図２１】
2008007783.tif 000023
【図２２】
2008007783.tif 000024
【図２３】
2008007783.tif 000025
【図２４】
2008007783.tif 000026
【図２５】
2008007783.tif 000027
【図２６】
2008007783.tif 000028
【図２７】
2008007783.tif 000029
【図２８】
2008007783.tif 000030
【図２９】
2008007783.tif 000031
【図３０】
2008007783.tif 000032
【図３１】
2008007783.tif 000033
【図３２】
2008007783.tif 000034
【図３３】
2008007783.tif 000035
【図３４】
2008007783.tif 000036
【図３５】
2008007783.tif 000037
【国際調査報告】
2008007783.tif 000038
2008007783.tif 000039
2008007783.tif 000040
2008007783.tif 000041